【事件の表示】
　特願２０１３−５０５１１３「コンピュータからモバイルハンドセットにデジタルコンテンツを転送する方法及び装置」拒絶査定不服審判事件〔平成２３年１０月２０日国際公開、ＷＯ２０１１／１３０４４９、平成２５年　６月２０日国内公表、特表２０１３−５２５８８８〕について、次のとおり審決する。
【結　論】
　本件審判の請求は、成り立たない。
【理　由】
第１　手続の経緯
　本件請求に係る出願（以下，「本願」という。）は，
２０１０年４月１５日（以下，「優先日」という。）のアメリカ合衆国における出願を基礎とするパリ条約による優先権主張を伴った，
２０１１年４月１３日を国際出願日とする出願であって，
平成２４年１０月１１日付けで特許法第１８４条の５第１項の規定による書面（国内書面）が提出され，
平成２４年１２月１１日付けで特許法第１８４条の４第１項の規定による国際出願日における明細書，請求の範囲，図面の翻訳文（以下，「当初翻訳文等」という。）が提出されるとともに，同日付けで審査請求がなされ，
平成２５年１２月１９日付けで拒絶理由通知（平成２５年１２月２６日発送）がなされ，
平成２６年３月２６日付けで意見書が提出されるとともに，同日付けで手続補正書が提出され，
平成２６年７月１８日付けで拒絶査定（平成２６年７月２３日謄本送達）がなされ，
平成２６年１１月２０日付けで審判請求がされるとともに，同日付けで手続補正書が提出されたものである。
　なお，平成２７年２月１３日付けで特許法第１６４条第３項に定める報告（前置報告）がなされている。
第２　平成２６年１１月２０日付けの手続補正についての補正却下の決定
［補正却下の決定の結論］
　平成２６年１１月２０日付けの手続補正を却下する。
［理由］
１．補正の内容
　平成２６年１１月２０日付けの手続補正（以下，「本件補正」という。）の内容は，平成２６年３月２６日付けの手続補正により補正された特許請求の範囲の記載
「【請求項１】
　ユーザのコンテンツを１つ又はそれよりも多くのコンピュータと１つ又はそれよりも多くのストレージユニットとを有するコンピュータクラウドとデバイスとの間で共有するためのシステムであって，
　ユーザに関連付けられた第１のコンテンツストアを有する前記コンピュータクラウドであって，前記第１のコンテンツストアは，前記ユーザのために前記コンピュータクラウドに格納された複数個のデジタルコンテンツを含む第１のコンテンツの集合である，前記コンピュータクラウドを備え，
　前記コンピュータクラウドは，
　　前記ユーザがデジタルコンテンツの１つを視聴したいとき，前記コンピュータクラウドに格納された当該デジタルコンテンツの１つのための要求を前記デバイスから受け，
　　前記デジタルコンテンツの１つへのアクセスを前記デバイスに提供するよう構成され，
　　前記デバイスは，
　　前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストアと，
　　前記デバイスに格納された前記１つ又はそれよりも多くの個数のデジタルコンテンツと前記コンピュータクラウドに格納された前記複数個のデジタルコンテンツとを表示するディスプレイと，
　　前記ユーザが前記コンピュータクラウドに格納された１つのデジタルコンテンツを視聴したい時に該１つのデジタルコンテンツを該コンピュータクラウドから要求し，かつ該デバイス上に該１つのデジタルコンテンツを格納するアプリケーションと，を有することを特徴とするシステム。
　　【請求項２】
　前記コンピュータクラウドは，該コンピュータクラウドに格納された前記複数個のデジタルコンテンツを前記デバイスに格納されたデジタルコンテンツと同期することを特徴とする請求項１に記載のシステム。
　　【請求項３】
　複数のデバイスを更に含み，
　各デバイスが，前記ユーザが前記コンピュータクラウドに格納された１つのデジタルコンテンツを視聴したい時に該１つのデジタルコンテンツを該コンピュータクラウドから要求し，かつ該デバイスに該１つのデジタルコンテンツを格納するアプリケーションを有し，
　前記コンピュータクラウドは，該コンピュータクラウドに格納された前記複数個のデジタルコンテンツを前記複数のデバイスの各々に格納されたデジタルコンテンツと同期する，
　ことを特徴とする請求項１に記載のシステム。
　　【請求項４】
　前記複数のデバイスが，モバイル電話，セルラー電話，ＰＤＡ，無線電子メールデバイス，ＭＰ３プレーヤ，スマートフォン，モバイル電話，パーソナルコンピュータ，ラップトップ，セットトップボックス，テレビジョン，自動車内デジタルコンテンツシステム，及びゲームコンソールの少なくとも一つを含むことを特徴とする請求項３に記載のシステム。
　　【請求項５】
　前記複数のデバイスの各デバイスの前記アプリケーションは，前記複数個のデジタルコンテンツを該複数のデバイス間で直接に転送することを可能にする転送モジュールを更に含むことを特徴とする請求項３に記載のシステム。
　　【請求項６】
　前記デバイスを前記コンピュータクラウドと無線で接続する無線ネットワークを更に含み，これにより，前記コンピュータクラウドからの前記１つのデジタルコンテンツが無線ネットワークで前記デバイスにアクセス可能であることを特徴とする請求項１に記載のシステム。
　　【請求項７】
　前記無線ネットワークは，セルラー電話ネットワーク，ＷｉＦｉネットワーク，又は無線データネットワークを更に含むことを特徴とする請求項６に記載のシステム。
　　【請求項８】
　前記デバイスを前記コンピュータクラウドと接続するリンクを更に含み，これにより，前記コンピュータクラウドからの前記１つのコンテンツが前記リンクでダウンロードされることを特徴とする請求項１に記載のシステム。
　　【請求項９】
　前記リンクは，ケーブル，ドッキングステーション，前記モバイルハンドセット内に挿入することができるメモリカード，又はＢｌｕｅｔｏｏｔｈネットワークを更に含むことを特徴とする請求項８に記載のシステム。
　　【請求項１０】
　各デジタルコンテンツが，前記デジタルコンテンツに関連付けられた１つのメタデータを更に含み，
　前記システムは，前記ユーザのデジタルコンテンツと一又はそれ以上の他のユーザのデジタルコンテンツとに基づいて１つのデジタルコンテンツを前記ユーザに推奨する推奨エンジンを更に含む，
　ことを特徴とする請求項１に記載のシステム。
　　【請求項１１】
　前記コンピュータクラウドは，少なくとも一つのサーバを備え，
　前記コンピュータクラウドは，前記一又はそれ以上の他のユーザに関連付けられた一又はそれ以上の追加のコンテンツストアを更に備え，
　前記推奨エンジンは，前記ユーザに関連付けられた前記第１のコンテンツストアのデジタルコンテンツと前記一又はそれ以上の他のユーザに関連付けられた一又はそれ以上の追加のコンテンツストアのデジタルコンテンツとの間の相関関係に基づいて，１つのデジタルコンテンツを前記ユーザに推奨する，
　請求項１０に記載のシステム。
　　【請求項１２】
　各デジタルコンテンツが，各デジタルコンテンツに関連付けられた１つのメタデータを更に含み，
　前記コンピュータクラウドは，第１のユーザを第２のユーザに該第１及び第２のユーザの前記複数個のデジタルコンテンツに基づいて紹介するコミュニティユニットを更に含む，
　ことを特徴とする請求項１に記載のシステム。
　　【請求項１３】
　複数個のデジタルコンテンツが，１つ又はそれよりも多くのコンピュータ及び１つ又はそれよりも多くのストレージユニットを有するコンピュータクラウドに格納され，該コンピュータクラウドが，ユーザに関連付けられた第１のコンテンツストアであって，前記ユーザのために前記コンピュータクラウドに格納された複数個のデジタルコンテンツを含む第１のコンテンツの集合である第１のコンテンツストアを有し，該複数個のデジタルコンテンツをダウンロード及び対話するためのデバイスであって，
　プロセッサと，
　前記プロセッサに結合されたメモリと，
　前記メモリに格納され，前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストアと，
　前記デバイスに格納された前記１つ又はそれよりも多くの個数のデジタルコンテンツと前記コンピュータクラウドに格納された前記複数個のデジタルコンテンツとを表示するディスプレイと，
　前記ユーザが前記コンピュータクラウドに格納された１つのデジタルコンテンツを視聴したい時に該１つのデジタルコンテンツを該コンピュータクラウドから要求し，かつ前記デバイスに該１つのデジタルコンテンツを格納する，前記メモリに格納されて前記プロセッサによって実行されるアプリケーションと，
　を含むことを特徴とするデバイス。
　　【請求項１４】
　前記デバイスに格納された前記複数個の前記デジタルコンテンツは，前記コンピュータクラウドに格納された前記複数個のデジタルコンテンツと同期されることを特徴とする請求項１３に記載のデバイス。
　　【請求項１５】
　前記デバイスは，モバイル電話，セルラー電話，ＰＤＡ，無線電子メールデバイス，ＭＰ３プレーヤ，スマートフォン，モバイル電話，パーソナルコンピュータ，ラップトップ，セットトップボックス，テレビジョン，自動車内デジタルコンテンツシステム，及びゲームコンソールから構成された群から選択されることを特徴とする請求項１３に記載のデバイス。
　　【請求項１６】
　前記アプリケーションは，複数個のデジタルコンテンツを第２のデバイスに直接に転送することを可能にする転送モジュールを更に含むことを特徴とする請求項１３に記載のデバイス。
　　【請求項１７】
　１つ又はそれよりも多くのコンピュータと１つ又はそれよりも多くのストレージユニットとを有するコンピュータクラウドと，デバイスとの間でユーザのコンテンツを共有する方法であって，
　前記コンピュータクラウドで，ユーザに関連付けられた第１のコンテンツストアを維持する段階であって，前記第１のコンテンツストアは，前記ユーザのために前記コンピュータクラウドに格納された複数個のデジタルコンテンツを含む第１のコンテンツの集合である，段階と，
　前記ユーザが前記デジタルコンテンツの１つを視聴したいとき，前記コンピュータクラウドに格納された当該デジタルコンテンツの１つのための要求を前記デバイスから受ける段階と，
　前記デジタルコンテンツの１つへのアクセスを前記デバイスに提供する段階と，
　を含み，
　前記デバイスは，
　　前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストアと，
　　前記デバイスに格納された前記１つ又はそれよりも多くの個数のデジタルコンテンツと前記コンピュータクラウドに格納された前記複数個のデジタルコンテンツとを表示するディスプレイと，
　　前記ユーザが前記コンピュータクラウドに格納された１つのデジタルコンテンツを視聴したい時に該１つのデジタルコンテンツを該コンピュータクラウドから要求し，かつ該デバイスに前記コンピュータクラウドにからの該１つのデジタルコンテンツを格納するアプリケーションと，
　を有することを特徴とする方法。
　　【請求項１８】
　前記コンピュータクラウドに格納された前記複数個のデジタルコンテンツを前記デバイスに格納されたデジタルコンテンツと同期する段階を更に含むことを特徴とする請求項１７に記載の方法。
　　【請求項１９】
　前記コンピュータクラウドに格納された前記複数個のデジタルコンテンツを複数のデバイスの各々に格納されたデジタルコンテンツと同期する段階を更に含むことを特徴とする請求項１７に記載の方法。
　　【請求項２０】
　前記デバイス間で１つのデジタルコンテンツを直接に転送する段階を更に含むことを特徴とする請求項１９に記載の方法。
　　【請求項２１】
　前記デバイスを前記コンピュータクラウドと無線で接続する段階を更に含み，これにより，前記コンピュータクラウドからの前記１つのデジタルコンテンツが前記無線ネットワークで前記デバイスにアクセス可能であることを特徴とする請求項１７に記載の方法。
　　【請求項２２】
　前記ユーザに該ユーザのデジタルコンテンツと一又はそれ以上の他のユーザのデジタルコンテンツとに基づいて１つのデジタルコンテンツを推奨する段階を更に含むことを特徴とする請求項１７に記載の方法。
　　【請求項２３】
　前記コンピュータクラウドで，前記一又はそれ以上の他のユーザに関連付けられた一又はそれ以上の追加のコンテンツストアを維持する段階と，
　前記ユーザに関連付けられた前記第１のコンテンツストアのデジタルコンテンツと前記一又はそれ以上の他のユーザに関連付けられた一又はそれ以上の追加のコンテンツストアのデジタルコンテンツとの間の相関関係に基づいて，１つのデジタルコンテンツを前記ユーザに推奨する段階と，
　を更に含み，
　前記コンピュータクラウドは，少なくとも一つのサーバを備えている，請求項２２に記載の方法。
　　【請求項２４】
　第２のデバイスのユーザに第１のデバイスのユーザを該第１及び第２のユーザの前記複数個のデジタルコンテンツに基づいて紹介する段階を更に含むことを特徴とする請求項１７に記載の方法。」（以下，この特許請求の範囲に記載された請求項を「補正前の請求項」という。）を，
「【請求項１】
　ユーザのコンテンツを１つ又はそれよりも多くのプロセッサを有するコンピュータクラウドとデバイスとの間で共有するためのシステムであって，
　ユーザに関連付けられた第１のコンテンツストアを有する前記コンピュータクラウドであって，前記第１のコンテンツストアは，１つ又はそれよりも多くの個数のユーザがアップロードしたユーザのコンテンツを格納する，前記コンピュータクラウドを備え，
　前記コンピュータクラウドは，
　　前記コンピュータクラウドに格納された，ユーザがアップロードしたコンテンツの１つをダウンロードする要求を前記デバイスから受け，
　　前記受信した要求に応じて，前記コンテンツストアへのアクセスを前記デバイスに許可するよう構成され，
　　前記デバイスは，
　　１つ又はそれよりも多くの個数のデジタルコンテンツを格納する第２のコンテンツストアと，
　　前記デバイスに格納された前記１つ又はそれよりも多くの個数のデジタルコンテンツと前記コンピュータクラウドに格納された前記ユーザがアップロードした１つ又はそれよりも多くの個数のコンテンツとを表示するディスプレイと，
　　前記ユーザが前記コンピュータクラウドに格納されたユーザがアップロードしたコンテンツの１つを視聴したい時に該ユーザがアップロードしたコンテンツの１つを該コンピュータクラウドから要求し，かつ該デバイス上に該ユーザがアップロードしたコンテンツの１つを格納するアプリケーションと，を有することを特徴とするシステム。
　　【請求項２】
　前記コンピュータクラウドは，前記ユーザがアップロードした複数個のコンテンツの少なくとも一つを前記コンピュータクラウドと前記デバイスとの間で選択的に同期するようさらに構成されていることを特徴とする請求項１に記載のシステム。
　　【請求項３】
　前記ユーザがアップロードした複数個のデジタルコンテンツの少なくとも一つについての前記コンピュータクラウドと前記デバイスとの間での選択的な前記同期は，バックグラウンドで行われ，前記デバイスの電源に基づいてなされ，バックグラウンドで行われる前記同期は，前記デバイスが電源にプラグインされた時に作動され，バックグラウンドで行われる前記同期は，前記デバイスがバッテリ電源で動作する時に減速又は非作動とされる，請求項２に記載のシステム。
　　【請求項４】
　前記ユーザがアップロードした複数個のコンテンツの少なくとも一つについての前記コンピュータクラウドと前記デバイスとの間での選択的な前記同期は，他の作動についての前記デバイスの利用に基づいており，前記同期は，前記デバイスが利用されていない時に促進され，前記同期は，前記デバイスが利用されている時に抑制される，請求項２に記載のシステム。
　　【請求項５】
　前記コンピュータクラウドは，前記ユーザがアップロードした複数個のコンテンツの少なくとも一つについての前記コンピュータクラウドと複数のデバイスとの間で選択的に同期するようさらに構成され，前記複数のデバイスは，モバイル電話，セルラー電話，ＰＤＡ，無線ｅメールデバイス，ＭＰ３プレイヤー，スマートフォン，パーソナルコンピュータ，ラップトップ，セットトップボックス，テレビ，車内デジタルコンテンツシステム，及びゲームコンソールの少なくとも一つを含み，前記コンピュータクラウドに格納されているコンテンツの１つは，前記デバイスを前記コンピュータクラウドに接続するリンクを介して前記デバイスにダウンロードされ，前記リンクは，ケーブル，ドッキングステーション，前記デバイスに挿入できるメモリカード，又はブルートゥースネットワークの少なくとも一つを含む，請求項１に記載のシステム。
　　【請求項６】
　前記コンピュータクラウドに格納されている前記ユーザがアップロードしたコンテンツの１つは，前記デバイスを前記コンピュータクラウドに接続する無線ネットワークで前記デバイスによってアクセスされる，請求項１に記載のシステム。
　　【請求項７】
　前記無線ネットワークは，セルラー電話ネットワーク，ＷｉＦｉネットワーク，又は無線データネットワークを更に含むことを特徴とする請求項６に記載のシステム。
　　【請求項８】
　前記ユーザがアップロードした複数個のコンテンツの少なくとも一つについての前記コンピュータクラウドと前記デバイスとの間での選択的な前記同期は，前記デバイスを前記コンピュータクラウドに接続するネットワークに基づいている，請求項２に記載のシステム。
　　【請求項９】
　前記同期は，前記デバイスを前記コンピュータクラウドに接続する最もコストの低いネットワークを介する，請求項８に記載のシステム。
　　【請求項１０】
　前記ユーザがアップロードしたコンテンツの１つは，前記デバイスを前記コンピュータクラウドに接続するリンクを介して前記デバイスにダウンロードされ，前記リンクは，ケーブル，ドッキングステーション，前記デバイスに挿入できるメモリカード，又はブルートゥースネットワークの少なくとも一つを含み，
　前記ユーザがアップロードしたコンテンツそれぞれが，前記ユーザがアップロードしたコンテンツの１つに関連付けられた１つのメタデータを更に含み，
　前記コンピュータクラウドは，一又はそれ以上の前記ユーザがアップロードしたコンテンツに関連付けられたメタデータに基づいて，前記ユーザがアップロードしたコンテンツの１つを前記ユーザに推奨する推奨エンジンを更に含む，
　ことを特徴とする請求項１に記載のシステム。
　　【請求項１１】
　前記コンピュータクラウドは，少なくとも一つのサーバを備え，
　前記コンピュータクラウドは，前記一又はそれ以上の他のユーザに関連付けられた一又はそれ以上の追加のコンテンツストアを更に備え，
　前記推奨エンジンは，前記ユーザに関連付けられた前記第１のコンテンツストアの前記ユーザがアップロードしたコンテンツと前記一又はそれ以上の他のユーザに関連付けられた一又はそれ以上の追加のコンテンツストアの前記ユーザがアップロードしたコンテンツとの間の相関関係に基づいて，１つのデジタルコンテンツを前記ユーザに推奨する，
　請求項１に記載のシステム。
　　【請求項１２】
　前記ユーザがアップロードしたコンテンツそれぞれが，前記ユーザがアップロードしたコンテンツそれぞれに関連付けられた１つのメタデータを更に含み，
　前記コンピュータクラウドは，前記ユーザを他のユーザに該１つ又はそれ以上の個数の前記ユーザがアップロードしたコンテンツに関連付けられたメタデータに基づいて紹介するコミュニティユニットを更に含む，
　ことを特徴とする請求項１に記載のシステム。
　　【請求項１３】
　１つ又はそれ以上のプロセッサを含むコンピュータクラウドに格納されている１つ又はそれ以上の個数の前記ユーザがアップロードしたコンテンツをダウンロード及び対話するためのデバイスであって，
　プロセッサと，
　前記プロセッサに結合されたメモリと，
　１つ又はそれ以上の個数のユーザがアップロードしたコンテンツを格納する，前記メモリに格納されているコンテンツストアと，
　前記デバイスに格納された前記１つ又はそれよりも多くの個数の前記ユーザがアップロードしたコンテンツと前記コンピュータクラウドに格納された前記１つ又はそれ以上の個数の前記ユーザがアップロードしたコンテンツとを表示するディスプレイと，
　前記コンピュータクラウドに格納されている前記ユーザがアップロードしたコンテンツの１つをダウンロードするように，前記コンピュータクラウドから要求し，前記メモリに格納されて前記プロセッサによって実行されるアプリケーションと，
　を含むことを特徴とするデバイス。
　　【請求項１４】
　前記コンピュータクラウドに格納された複数個の前記ユーザがアップロードしたコンテンツの少なくとも一つは，前記コンピュータクラウドと前記デバイスとの間で選択的に同期されることを特徴とする請求項１３に記載のデバイス。
　　【請求項１５】
　前記ユーザがアップロードした複数個のコンテンツの少なくとも一つについての前記コンピュータクラウドと前記デバイスとの間での選択的な前記同期は，バックグラウンドで行われ，前記デバイスの電源に基づいてなされ，バックグラウンドで行われる前記同期は，前記デバイスが電源にプラグインされた時に作動され，バックグラウンドで行われる前記同期は，前記デバイスがバッテリ電源で動作する時に減速又は非作動とされる，請求項１４に記載のデバイス。
　　【請求項１６】
　前記ユーザがアップロードした複数個のコンテンツの少なくとも一つについての前記コンピュータクラウドと前記デバイスとの間での選択的な前記同期は，他の作動についての前記デバイスの利用に基づいており，前記同期は，前記デバイスが利用されていない時に促進され，前記同期は，前記デバイスが利用されている時に抑制される，請求項１３に記載のデバイス。
　　【請求項１７】
　１つ又はそれよりも多くのプロセッサを有するコンピュータクラウドと，デバイスとの間でコンテンツを共有する方法であって，
　前記コンピュータクラウドで，第１のコンテンツストアを維持する段階であって，前記第１のコンテンツストアは，１つ又はそれよりも多くの個数のユーザがアップロードしたコンテンツを格納する，段階と，
　前記コンピュータクラウドに格納された前記ユーザがアップロードしたコンテンツの一つをダウンロードする要求を前記デバイスから受ける段階と，
　前記受信した要求に応じて，前記コンピュータクラウドを介して，前記コンテンツストアへのアクセスを前記デバイスに許可する段階と，
　ユーザがアップロードしたコンテンツの一つを前記コンピュータクラウドから前記デバイスの第２のコンテンツストアで格納する段階と，を含む方法。
　　【請求項１８】
　前記コンピュータクラウドが，前記コンピュータクラウドに格納された複数個の前記ユーザがアップロードしたコンテンツの少なくとも一つを前記コンピュータクラウドと前記デバイスとの間で選択的に同期する段階を更に含むことを特徴とする請求項１７に記載の方法。
　　【請求項１９】
　前記コンピュータクラウドによる前記ユーザがアップロードした複数個のコンテンツの少なくとも一つについての前記コンピュータクラウドと前記デバイスとの間での選択的な前記同期は，バックグラウンドで行われ，前記デバイスの電源に基づいてなされ，バックグラウンドで行われる前記同期は，前記デバイスが電源にプラグインされた時に作動され，バックグラウンドで行われる前記同期は，前記デバイスがバッテリ電源で動作する時に減速又は非作動とされる，請求項１８に記載の方法。
　　【請求項２０】
　前記コンピュータクラウドによる前記ユーザがアップロードした複数個のコンテンツの少なくとも一つについての前記コンピュータクラウドと前記デバイスとの間での選択的な前記同期は，他の作動についての前記デバイスの利用に基づいており，前記同期は，前記デバイスが利用されていない時に促進され，前記同期は，前記デバイスが利用されている時に抑制される，請求項１８に記載の方法。
　　【請求項２１】
　前記コンピュータクラウドに格納されている前記ユーザがアップロードしたコンテンツの一つは，前記デバイスと前記コンピュータクラウドとを接続する無線ネットワークを介して前記デバイスによってアクセスされる，請求項１７に記載の方法。
　　【請求項２２】
　前記コンピュータクラウドが，前記ユーザがアップロードしたコンテンツの１つを，一又はそれ以上の個数の前記ユーザがアップロードしたコンテンツに関連付けられたメタデータに基づいて推奨する段階を更に含むことを特徴とする請求項１７に記載の方法。
　　【請求項２３】
　前記コンピュータクラウドで，一又はそれ以上の追加のコンテンツストアを維持する段階と，
　前記第１のコンテンツストアの前記ユーザがアップロードしたコンテンツと一又はそれ以上の追加のコンテンツストアの前記ユーザがアップロードしたコンテンツとの間の相関関係に基づいて，１つの前記ユーザがアップロードしたコンテンツを推奨する段階と，
　を更に含み，
　前記コンピュータクラウドは，少なくとも一つのサーバを備えている，請求項２２に記載の方法。
　　【請求項２４】
　他のユーザに前記デバイスのユーザを，一又はそれ以上の個数の前記ユーザがアップロードしたコンテンツに基づいて紹介する段階を更に含むことを特徴とする請求項１７に記載の方法。」（以下，この特許請求の範囲に記載された請求項を「補正後の請求項」という。）に補正するものである。
　そして，本件補正は，当初翻訳文等に記載した事項の範囲内においてなされており，特許法第１７条の２第３項の規定に適合している。
２．目的要件
　本件補正が，特許法第１７条の２第５項の規定を満たすものであるか否か，すなわち，本件補正が，特許法第１７条の２第５項に規定する請求項の削除，特許請求の範囲の減縮（特許法第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る），誤記の訂正，或いは，明りょうでない記載の釈明（拒絶理由通知に係る拒絶の理由に示す事項についてするものに限る）の何れかを目的としたものであるかについて，以下に検討する。
２−１．補正事項
（１）補正前の請求項と，補正後の請求項とを比較すると，
　補正後の請求項１〜２，６〜７，１１〜１４，１７〜１８，２１〜２４はそれぞれ，補正前の請求項１〜２，６〜７，１１〜１４，１７〜１８，２１〜２４に対応する。
　補正後の請求項３〜４，８〜９はそれぞれ，補正後の請求項２に新たな発明特定事項を追加した新たな請求項である。
　補正後の請求項５は，補正前の請求項３に対応し，補正前の請求項４，８，９に記載の発明特定事項を追加したものである。
　補正後の請求項１０は，補正前の請求項１０に対応し，補正前の請求項８，９に記載の発明特定事項を追加したものである。
　補正後の請求項１５，１６はそれぞれ，補正後の請求項１４，１３に新たな発明特定事項を追加した新たな請求項である。
　補正後の請求項１９，２０はそれぞれ，補正後の請求項１８に新たな発明特定事項を追加した新たな請求項である。
　なお，補正前の請求項５，１５，１６，１９に直接対応する補正後の請求項はない。
（２）補正後の請求項１に係る補正は，下記の補正事項１〜７よりなるものである。
＜補正事項１＞
　コンピュータクラウドの定義において，
　補正前の請求項１の「１つ又はそれよりも多くのコンピュータと１つ又はそれよりも多くのストレージユニットとを有するコンピュータクラウド」との記載を，
　補正後の請求項１の「１つ又はそれよりも多くのプロセッサを有するコンピュータクラウド」に変更する補正。
＜補正事項２＞
　第１のコンテンツストアの定義において，
　補正前の請求項１の「前記第１のコンテンツストアは，前記ユーザのために前記コンピュータクラウドに格納された複数個のデジタルコンテンツを含む第１のコンテンツの集合である」との記載を，
　補正後の請求項１の「前記第１のコンテンツストアは，１つ又はそれよりも多くの個数のユーザがアップロードしたユーザのコンテンツを格納する」に変更する補正。
＜補正事項３＞
　補正前の請求項１の「前記ユーザがデジタルコンテンツの１つを視聴したいとき，前記コンピュータクラウドに格納された当該デジタルコンテンツの１つのための要求を前記デバイスから受け」との記載を，
　補正後の請求項１の「前記コンピュータクラウドに格納された，ユーザがアップロードしたコンテンツの１つをダウンロードする要求を前記デバイスから受け」に変更する補正。
＜補正事項４＞
　補正前の請求項１の「前記デジタルコンテンツの１つへのアクセスを前記デバイスに提供する」との記載を，
　補正後の請求項１の「前記受信した要求に応じて，前記コンテンツストアへのアクセスを前記デバイスに許可する」に変更する補正。
＜補正事項５＞
　第２のコンテンツストアの定義において，
　補正前の請求項１の「前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストア」との記載を，
　補正後の請求項１の「１つ又はそれよりも多くの個数のデジタルコンテンツを格納する第２のコンテンツストア」に変更する補正。
＜補正事項６＞
　ディスプレイの定義において，
　補正前の請求項１の「複数個のデジタルコンテンツ」との記載を，
　補正後の請求項１の「ユーザがアップロードした１つ又はそれよりも多くの個数のコンテンツ」に変更する補正。
＜補正事項７＞
　アプリケーションの定義において，
　補正前の請求項１の「１つのデジタルコンテンツ」との記載を，
　補正後の請求項１の「ユーザがアップロードしたコンテンツの１つ」に変更する補正。
（３）補正後の請求項２に係る補正は，下記の補正事項８〜９よりなるものである。
＜補正事項８＞
　補正前の請求項２の「該コンピュータクラウドに格納された前記複数個のデジタルコンテンツ」との記載を，
　補正後の請求項２の「前記ユーザがアップロードした複数個のコンテンツの少なくとも一つ」に変更する補正。
＜補正事項９＞
　補正前の請求項２の「同期する」との記載を，
　補正後の請求項２の「選択的に同期する」に限定する補正。
（４）補正後の請求項３，４，８，９に係る補正は，下記の補正事項１０よりなるものである。
＜補正事項１０＞
　補正後の請求項２の「選択的に同期する」を更に限定した補正後の請求項３，４，８，９を追加する補正。
（５）補正後の請求項５に係る補正は，下記の補正事項１１よりなるものである。
＜補正事項１１＞
　補正前の請求項３の「複数のデバイスを更に含み，
　各デバイスが，前記ユーザが前記コンピュータクラウドに格納された１つのデジタルコンテンツを視聴したい時に該１つのデジタルコンテンツを該コンピュータクラウドから要求し，かつ該デバイスに該１つのデジタルコンテンツを格納するアプリケーションを有し」，
　「前記コンピュータクラウドは，該コンピュータクラウドに格納された前記複数個のデジタルコンテンツを前記複数のデバイスの各々に格納されたデジタルコンテンツと同期する」との記載に，
　補正前の請求項４，８，９の発明特定事項を追加して，
　補正後の請求項５の
「前記コンピュータクラウドは，前記ユーザがアップロードした複数個のコンテンツの少なくとも一つについての前記コンピュータクラウドと複数のデバイスとの間で選択的に同期するようさらに構成され」に変更する補正。
（６）補正後の請求項６に係る補正は，下記の補正事項１２よりなるものである。
＜補正事項１２＞
　補正前の請求項６の「前記デバイスを前記コンピュータクラウドと無線で接続する無線ネットワークを更に含み，これにより，前記コンピュータクラウドからの前記１つのデジタルコンテンツが無線ネットワークで前記デバイスにアクセス可能である」との記載を，
　補正後の請求項６の「前記コンピュータクラウドに格納されている前記ユーザがアップロードしたコンテンツの１つは，前記デバイスを前記コンピュータクラウドに接続する無線ネットワークで前記デバイスによってアクセスされる」に変更する補正。
（７）補正後の請求項１０に係る補正は，下記の補正事項１３〜１５よりなるものである。
＜補正事項１３＞
　補正前の請求項１０に補正前の請求項８，９の発明特定事項を追加し，
　さらに補正前の請求項８の「前記デバイスを前記コンピュータクラウドと接続するリンクを更に含み，これにより，前記コンピュータクラウドからの前記１つのコンテンツが前記リンクでダウンロードされる」との記載を，
　補正後の請求項１０の「前記ユーザがアップロードしたコンテンツの１つは，前記デバイスを前記コンピュータクラウドに接続するリンクを介して前記デバイスにダウンロードされ」に変更する補正。
＜補正事項１４＞
　補正前の請求項１０の「デジタルコンテンツ」との記載を，
　補正後の請求項１０の「ユーザがアップロードしたコンテンツ」に変更する補正。
＜補正事項１５＞
　補正前の請求項１０の「前記システムは，前記ユーザのデジタルコンテンツと一又はそれ以上の他のユーザのデジタルコンテンツとに基づいて１つのデジタルコンテンツを前記ユーザに推奨する推奨エンジンを更に含む」との記載を，
　補正後の請求項１０の「前記コンピュータクラウドは，一又はそれ以上の前記ユーザがアップロードしたコンテンツに関連付けられたメタデータに基づいて，前記ユーザがアップロードしたコンテンツの１つを前記ユーザに推奨する推奨エンジンを更に含む」に変更する補正。
（８）補正後の請求項１１に係る補正は，下記の補正事項１６よりなるものである。
＜補正事項１６＞
　補正前の請求項１１の「デジタルコンテンツ」との記載を，
　補正後の請求項１１の「ユーザがアップロードしたコンテンツ」に変更する補正。
（９）補正後の請求項１２に係る補正は，下記の補正事項１７〜１８よりなるものである。
＜補正事項１７＞
　補正前の請求項１２の「デジタルコンテンツ」との記載を，
　補正後の請求項１２の「ユーザがアップロードしたコンテンツ」に変更する補正。
＜補正事項１８＞
　補正前の請求項１２の「前記コンピュータクラウドは，第１のユーザを第２のユーザに該第１及び第２のユーザの前記複数個のデジタルコンテンツに基づいて紹介するコミュニティユニット」との記載を，
　補正後の請求項１２の「前記コンピュータクラウドは，前記ユーザを他のユーザに該１つ又はそれ以上の個数の前記ユーザがアップロードしたコンテンツに関連付けられたメタデータに基づいて紹介するコミュニティユニット」に変更する補正。
（１０）補正後の請求項１３に係る補正は，下記の補正事項１９〜２１よりなるものである。
＜補正事項１９＞
　デバイスの定義において，
　補正前の請求項１３の「複数個のデジタルコンテンツが，１つ又はそれよりも多くのコンピュータ及び１つ又はそれよりも多くのストレージユニットを有するコンピュータクラウドに格納され」，
　「該コンピュータクラウドが，ユーザに関連付けられた第１のコンテンツストアであって，前記ユーザのために前記コンピュータクラウドに格納された複数個のデジタルコンテンツを含む第１のコンテンツの集合である第１のコンテンツストアを有し」，
　「該複数個のデジタルコンテンツをダウンロード及び対話するためのデバイス」との記載を，
　補正後の請求項１３の「１つ又はそれ以上のプロセッサを含むコンピュータクラウドに格納されている１つ又はそれ以上の個数の前記ユーザがアップロードしたコンテンツをダウンロード及び対話するためのデバイス」に変更する補正。
＜補正事項２０＞
　第２のコンテンツストアの定義において，
　補正前の請求項１３の「前記メモリに格納され，前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストア」との記載を，
　補正後の請求項１３の「１つ又はそれ以上の個数のユーザがアップロードしたコンテンツを格納する，前記メモリに格納されているコンテンツストア」に変更する補正。
＜補正事項２１＞
　　ディスプレイ及びアプリケーションの定義において，
　補正前の請求項１３の「デジタルコンテンツ」との記載を，
　補正後の請求項１３の「ユーザがアップロードしたコンテンツ」に変更する補正。
（１１）補正後の請求項１４に係る補正は，下記の補正事項２２〜２３よりなるものである。
＜補正事項２２＞
　補正前の請求項１４の「デジタルコンテンツ」との記載を，
　補正後の請求項１４の「ユーザがアップロードしたコンテンツ」に変更する補正。
＜補正事項２３＞
　補正前の請求項１４の「同期される」との記載を，
　補正後の請求項１４の「選択的に同期される」に変更する補正。
（１２）補正後の請求項１５〜１６に係る補正は，下記の補正事項２４よりなるものである。
＜補正事項２４＞
　補正後の請求項１４の「選択的に同期される」を更に限定した補正後の請求項１５〜１６を追加する補正。
（１３）補正後の請求項１７に係る補正は，下記の補正事項２５〜３０よりなるものである。
＜補正事項２５＞
　補正前の請求項１７の「１つ又はそれよりも多くのコンピュータと１つ又はそれよりも多くのストレージユニットとを有するコンピュータクラウド」との記載を，
　補正後の請求項１７の「１つ又はそれよりも多くのプロセッサを有するコンピュータクラウド」に変更する補正。
＜補正事項２６＞
　補正前の請求項１７の「ユーザに関連付けられた第１のコンテンツストア」との記載を，
　補正後の請求項１７の「第１のコンテンツストア」に変更する補正。
＜補正事項２７＞
　補正前の請求項１７の「前記第１のコンテンツストアは，前記ユーザのために前記コンピュータクラウドに格納された複数個のデジタルコンテンツを含む第１のコンテンツの集合である」との記載を，
　補正後の請求項１７の「前記第１のコンテンツストアは，１つ又はそれよりも多くの個数のユーザがアップロードしたコンテンツを格納する」に変更する補正。
＜補正事項２８＞
　補正前の請求項１７の「前記ユーザが前記デジタルコンテンツの１つを視聴したいとき，前記コンピュータクラウドに格納された当該デジタルコンテンツの１つのための要求を前記デバイスから受ける段階」との記載を，
　補正後の請求項１７の「前記コンピュータクラウドに格納された前記ユーザがアップロードしたコンテンツの一つをダウンロードする要求を前記デバイスから受ける段階」に変更する補正。
＜補正事項２９＞
　補正前の請求項１７の「前記デジタルコンテンツの１つへのアクセスを前記デバイスに提供する段階」との記載を，
　補正後の請求項１７の「前記受信した要求に応じて，前記コンピュータクラウドを介して，前記コンテンツストアへのアクセスを前記デバイスに許可する段階」に変更する補正。
＜補正事項３０＞
　補正前の請求項１７の「前記デバイスは，
　　前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストアと，
　　前記デバイスに格納された前記１つ又はそれよりも多くの個数のデジタルコンテンツと前記コンピュータクラウドに格納された前記複数個のデジタルコンテンツとを表示するディスプレイと，
　　前記ユーザが前記コンピュータクラウドに格納された１つのデジタルコンテンツを視聴したい時に該１つのデジタルコンテンツを該コンピュータクラウドから要求し，かつ該デバイスに前記コンピュータクラウドにからの該１つのデジタルコンテンツを格納するアプリケーションと，
　を有すること」との記載を，
　補正後の請求項１７の「ユーザがアップロードしたコンテンツの一つを前記コンピュータクラウドから前記デバイスの第２のコンテンツストアで格納する段階」に変更する補正。
（１４）補正後の請求項１８に係る補正は，下記の補正事項３１〜３２よりなるものである。
＜補正事項３１＞
　補正前の請求項１８の「デジタルコンテンツ」との記載を，
　補正後の請求項１８の「ユーザがアップロードしたコンテンツ」に変更する補正。
＜補正事項３２＞
　補正前の請求項１８の「同期する」との記載を，
　補正後の請求項１８の「選択的に同期する」に変更する補正。
（１５）補正後の請求項１９〜２０に係る補正は，下記の補正事項３３よりなるものである。
＜補正事項３３＞
　補正後の請求項１９の「選択的に同期する」を更に限定した補正後の請求項１９〜２０を追加する補正。
（１６）補正後の請求項２１に係る補正は，下記の補正事項３４よりなるものである。
＜補正事項３４＞
　補正前の請求項２１の「前記デバイスを前記コンピュータクラウドと無線で接続する段階を更に含み，これにより，前記コンピュータクラウドからの前記１つのデジタルコンテンツが前記無線ネットワークで前記デバイスにアクセス可能であること」との記載を，
　補正後の請求項２１の「前記コンピュータクラウドに格納されている前記ユーザがアップロードしたコンテンツの一つは，前記デバイスと前記コンピュータクラウドとを接続する無線ネットワークを介して前記デバイスによってアクセスされる」に変更する補正。
（１７）補正後の請求項２２に係る補正は，下記の補正事項３５よりなるものである。
＜補正事項３５＞
　補正前の請求項２２の「前記ユーザに該ユーザのデジタルコンテンツと一又はそれ以上の他のユーザのデジタルコンテンツとに基づいて１つのデジタルコンテンツを推奨する段階」との記載を，
　補正後の請求項２２の「前記コンピュータクラウドが，前記ユーザがアップロードしたコンテンツの１つを，一又はそれ以上の個数の前記ユーザがアップロードしたコンテンツに関連付けられたメタデータに基づいて推奨する段階」に変更する補正。
（１８）補正後の請求項２３に係る補正は，下記の補正事項３６〜３７よりなるものである。
＜補正事項３６＞
　補正前の請求項２３の「一又はそれ以上の他のユーザに関連付けられた一又はそれ以上の追加のコンテンツストア」との記載を，
　補正後の請求項２３の「一又はそれ以上の追加のコンテンツストア」に変更する補正。
＜補正事項３７＞
　補正前の請求項２３の「前記ユーザに関連付けられた前記第１のコンテンツストアのデジタルコンテンツと前記一又はそれ以上の他のユーザに関連付けられた一又はそれ以上の追加のコンテンツストアのデジタルコンテンツとの間の相関関係に基づいて，１つのデジタルコンテンツを前記ユーザに推奨する段階」との記載を，
　補正後の請求項２３の「前記第１のコンテンツストアの前記ユーザがアップロードしたコンテンツと一又はそれ以上の追加のコンテンツストアの前記ユーザがアップロードしたコンテンツとの間の相関関係に基づいて，１つの前記ユーザがアップロードしたコンテンツを推奨する段階」に変更する補正。
（１９）補正後の請求項２４に係る補正は，下記の補正事項３８よりなるものである。
＜補正事項３８＞
　補正前の請求項２４の「第２のデバイスのユーザに第１のデバイスのユーザを該第１及び第２のユーザの前記複数個のデジタルコンテンツに基づいて紹介する段階」との記載を，
　補正後の請求項２４の「他のユーザに前記デバイスのユーザを，一又はそれ以上の個数の前記ユーザがアップロードしたコンテンツに基づいて紹介する段階」に変更する補正。
（２０）補正前の請求項５，１５，１６，１９に係る補正は，下記の補正事項３９よりなるものである。
＜補正事項３９＞
　デバイス間のコンテンツの直接転送に係る補正前の請求項５，１６を削除する補正。
　選択可能な種類を列挙した「デバイス」に係る補正前の請求項１５を削除する補正。
　複数のデバイスを用いる「方法」に係る補正前の請求項１９を削除する補正。
２−２．当審の判断
　前記補正事項について検討する。
＜補正事項１，２５について＞
　前記補正事項１は，「コンピュータクラウド」が有する要素を，「コンピュータ」及び「ストレージユニット」の２つの事項から，「プロセッサ」のみに変更しており，発明特定事項である「ストレージユニット」を削除するものである。該削除は，補正前の請求項１のいずれかの発明特定事項を限定する補正ではない。
　したがって，前記補正事項１は，補正前の請求項１に記載した発明を特定するために必要な事項を限定したものではなく，特許法第１７条の２第５項第２号の，発明特定事項を限定するものであって，その補正前後の当該請求項に記載された発明の産業上の利用分野及び解決しようとする課題が同一であるもの（以下，「限定的減縮」という。）を目的とするものとは認められない。
　また，前記補正事項１の目的が，特許法第１７条の２第５項第１号の請求項の削除，第３号の誤記の訂正，第４号の明りょうでない記載の釈明に該当するものとも認められない。
　前記補正事項２５についても同様である。
＜補正事項２，２７について＞
ア．前記補正事項２は，「第１のコンテンツストア」の定義を，「第１のコンテンツの集合」，すなわち，データそのものから，「コンテンツを格納する」もの，すなわち，データを格納する手段に変更するものである。
　また，「コンテンツ」の定義を，「前記ユーザのために前記コンピュータクラウドに格納された複数個のデジタルコンテンツ」から「１つ又はそれよりも多くの個数のユーザがアップロードしたユーザのコンテンツ」に変更するものである。
イ．前者の補正は，「コンテンツの集合」なる発明特定事項を削除するものである。
　そして，前記平成２５年１２月１９日付け拒絶理由通知書の理由３（特許法第３６条第６項第２号）の（１−１）において，『請求項１に記載の「コンテンツストア」とは何を意味するのか不明である。（コンテンツを記録した媒体か？　コンテンツ（の集合）それ自身か？　その他か？）』と通知しており，
　「コンテンツストア」の定義を平成２６年３月２６日付けの手続補正により『コンテンツ（の集合）』に一旦補正した後に，本件補正により，記録媒体のようなデータを格納する手段に再度補正したものである。
　最初の補正は「明りょうでない記載の釈明（拒絶理由通知に係る拒絶の理由に示す事項についてするものに限る）」を目的とするものの，本件補正は，「コンテンツストア」を一度『コンテンツ（の集合）』に明りょう化したにも関わらず，明りょうな記載を異なるものに変更するものであり，
　特許法第１７条の２第５項第４号の「明りょうでない記載の釈明（拒絶理由通知に係る拒絶の理由に示す事項についてするものに限る）」を目的とするものとは認められない。
　また，前記補正の目的が，特許法第１７条の２第５項第１号の請求項の削除，第２号の限定的減縮，第３号の誤記の訂正に該当するものとも認められない。
ウ．後者の補正は，コンテンツを，「ユーザがアップロードした」ものに限定して下位概念化するものである。
　そして，これによって当該発明の産業上の利用分野及び解決しようとする課題が格別変更されるものではない。
　したがって，当該補正の目的は，限定的減縮に該当する。
　前記補正事項２７についても同様である。
＜補正事項３について＞
ア．前記補正事項３は，「要求を前記デバイスから受け」るタイミングに係る「前記ユーザがデジタルコンテンツの１つを視聴したいとき」の記載を削除し，
　また，「コンテンツ」の定義を，「前記コンピュータクラウドに格納された当該デジタルコンテンツ」から「ユーザがアップロードしたコンテンツ」に変更するものである。
イ．前者の補正に関して，補正後の請求項１の「デバイス」の「アプリケーション」の定義において，「前記ユーザが」「コンテンツの１つを視聴したい時」に要求する点が別途特定されており，補正後の請求項１に係る発明全体としてみれば，該補正は，表現上の変更にすぎない。
ウ．後者の補正の目的は，前記補正事項２についてのウ．で検討したとおり，限定的減縮に該当する。
＜補正事項４について＞
　前記補正事項４は，「コンテンツ」へのアクセスの「提供」処理を，「コンテンツストア」へのアクセスの「許可」処理に変更している。
　さらに，前記補正事項２について検討したように，「コンテンツストア」自体の定義がデータから格納手段に変更されている。
　該補正は，（１）格納手段へのアクセスが許可，すなわち，認証された後に，（２）格納手段内のデータへのアクセスを実際に提供する処理を実現するものではなく，
　（２）個別のデータへのアクセス提供処理を，（１）格納手段全体へのアクセス認証処理に変更するものである。両者は，関連する処理ではあるものの，後者が前者を限定した処理とは言えない。
　したがって，前記補正事項４は，補正前の請求項１に記載した発明を特定するために必要な事項を限定したものではなく，限定的減縮を目的とするものとは認められない。
　また，前記補正事項４の目的が，特許法第１７条の２第５項第１号の請求項の削除，第３号の誤記の訂正，第４号の明りょうでない記載の釈明に該当するものとも認められない。
＜補正事項５，２０について＞
ア．前記補正事項５は，「第２のコンテンツストア」について，「ユーザに関連付けられた」という限定を削除し，
　「第２のコンテンツストア」の定義を，「第２のコンテンツの集合」，すなわち，データそのものから，「コンテンツを格納する」もの，すなわち，データを格納する手段に変更するものである。
イ．前者の補正に関して，発明特定事項を削除するものである。
　したがって，該補正事項は，補正前の請求項１に記載した発明を特定するために必要な事項を限定したものではなく，限定的減縮を目的とするものとは認められない。
　また，前記補正の目的が，特許法第１７条の２第５項第１号の請求項の削除，第３号の誤記の訂正，第４号の明りょうでない記載の釈明に該当するものとも認められない。
ウ．後者の補正に関して，前記補正事項２についてのイ．で検討したとおり，前記補正の目的が，特許法第１７条の２第５項の各号に該当するものと認められない。
　前記補正事項２０についても同様である。
＜補正事項６〜８，１４，１６〜１７，２１〜２２，３１について＞
　これらの補正事項は，前記補正事項２についてのウ．で検討したとおり，限定的減縮に該当する。
＜補正事項９，２３，３２について＞
　前記補正事項９は，「同期する」処理を「選択的に」行うように限定して下位概念化する補正であるものの，その解決しようとする課題は，
　補正前の請求項２では，「あるコンテンツを，コンピュータクラウド側でもデバイス側でも視聴することができるようにすること」であったが，
　補正後の請求項２においては，コンテンツの同期を選択的に行うことで，「データコストを低減する，バッテリの消耗を防止する，同期がコンピュータの全体的な作業を妨げないようにする」という課題を追加するものとなっている。
　この補正後の課題は，補正前の課題を概念的に下位にしたものでも，同種のものでもないなど，技術的に密接に関連しているとはいえないから，当該補正は，発明が解決しようとする課題を変更するものである。
　したがって，当該補正は限定的減縮を目的とするものとは認められない。
　また，前記補正事項２の目的が，特許法第１７条の２第５項第１号の請求項の削除，第３号の誤記の訂正，第４号の明りょうでない記載の釈明に該当するものとも認められない。
　前記補正事項２３，３２についても同様である。
＜補正事項１０，２４，３３について＞
　前記補正事項１０は，補正後の請求項２の補正事項９の「選択的に同期する」際の，選択的動作の基準として，「デバイスの電源」や「バッテリ電源」，「デバイスの利用」状態，「接続するネットワーク」のコストを追加した新たに補正後の請求項３，４，８，９を追加するものである。
　しかるに，新たに請求項を追加する補正事項が，限定的減縮を目的とするものとは認められない。
　また，前記補正事項２の目的が，特許法第１７条の２第５項第１号の請求項の削除，第３号の誤記の訂正，第４号の明りょうでない記載の釈明に該当するものとも認められない。
＜補正事項１１について＞
　前記補正事項１１は，補正前の請求項４，８，９の発明特定事項を補正前の請求項３に追加するものである。
　補正前の請求項８，９の発明特定事項を追加する補正は，補正前の請求項３が含む，いずれかの発明特定事項を限定する補正ではない。
　したがって，前記補正事項１１は，補正前の請求項３に記載した発明を特定するために必要な事項を限定したものではなく，特許法第１７条の２第５項第２号の，発明特定事項を限定するものであって，その補正前後の当該請求項に記載された発明の産業上の利用分野及び解決しようとする課題が同一であるもの（以下，「限定的減縮」という。）を目的とするものとは認められない。
　また，前記補正事項１１の目的が，特許法第１７条の２第５項第１号の請求項の削除，第３号の誤記の訂正，第４号の明りょうでない記載の釈明に該当するものとも認められない。
　さらに，補正前の請求項８の発明特定事項について検討すると，
　前記補正事項１１は，「同期する」処理を「選択的に同期する」処理に変更するものであるが，
　該補正に関して，前記補正事項９について検討したとおり，前記補正事項の目的が，特許法第１７条の２第５項の各号に該当するものと認められない。
＜補正事項１２，３４について＞
　前記補正事項１２は，無線ネットワークについて表現上の変更を行い，
「コンピュータクラウドからの前記１つのデジタルコンテンツ」を「コンピュータクラウドに格納されている前記ユーザがアップロードしたコンテンツの１つ」に変更している。
　当該補正事項の目的は，前記補正事項２についてのウ．で検討したとおり，限定的減縮に該当する。
　前記補正事項３４についても同様である。
＜補正事項１３について＞
　前記補正事項１３は，補正前の請求項８のリンクについて表現上の変更を行い，「１つのコンテンツ」を「ユーザがアップロードしたコンテンツの１つ」に変更したものを補正前の請求項１０に追加するものである。
　該追加は，補正前の請求項１０が含む，いずれかの発明特定事項を限定する補正ではない。
　したがって，前記補正事項１３は，補正前の請求項１０に記載した発明を特定するために必要な事項を限定したものではなく，特許法第１７条の２第５項第２号の，発明特定事項を限定するものであって，その補正前後の当該請求項に記載された発明の産業上の利用分野及び解決しようとする課題が同一であるもの（以下，「限定的減縮」という。）を目的とするものとは認められない。
　また，前記補正事項１３の目的が，特許法第１７条の２第５項第１号の請求項の削除，第３号の誤記の訂正，第４号の明りょうでない記載の釈明に該当するものとも認められない。
＜補正事項１５，３５について＞
ア．前記補正事項１５は，
（ア）動作主体を「システム」から「コンピュータクラウド」に変更し，
（イ）「他のユーザ」に係る発明特定事項を削除し，
（ウ）「ユーザのデジタルコンテンツ」を「ユーザがアップロードしたコンテンツ」に限定し，
（エ）参照対象を「コンテンツとに基づいて」を「コンテンツに関連付けられたメタデータに基づいて」に変更するものである。
イ．（ア），（ウ），（エ）の補正事項は，それぞれ補正前の請求項１０の発明特定事項を限定して下位概念化する補正である。
　　そして，これによって当該発明の産業上の利用分野及び解決しようとする課題が格別変更されるものではない。
　したがって，当該補正事項の目的は，限定的減縮に該当する。
ウ．（イ）の補正事項について，「他のユーザ」に係る発明特定事項を削除する補正は，補正前の請求項１０に記載した発明を特定するために必要な事項を限定したものではなく，限定的減縮を目的とするものとは認められない。また，前記補正事項１０の目的が，特許法第１７条の２第５項第１号の請求項の削除，第３号の誤記の訂正，第４号の明りょうでない記載の釈明に該当するものとも認められない。
　前記補正事項３５についても同様である。
＜補正事項１８，３８について＞
　前記補正事項１８は，「第１のユーザ」及び「第２のユーザ」を，それぞれ「ユーザ」及び「他のユーザ」に表現を変更し，
　「デジタルコンテンツに基づいて」を「ユーザがアップロードしたコンテンツに関連付けられたメタデータに基づいて」に変更しており，
　コンテンツに基づく処理を，そのメタデータに基づく処理を限定して下位概念化する補正である。
　そして，これによって当該発明の産業上の利用分野及び解決しようとする課題が格別変更されるものではない。
　したがって，当該補正事項の目的は，限定的減縮に該当する。
　前記補正事項３８についても同様である。
＜補正事項１９について＞
　前記補正事項１９は，「コンピュータクラウド」について，前記補正事項１，２と同様の補正をしており，
　前記補正事項１について，及び補正事項２についてのイ．で検討したとおり，前記補正事項の目的が，特許法第１７条の２第５項の各号に該当するものと認められない。
＜補正事項２６について＞
　前記補正事項５についてのイ．で検討したとおり，前記補正事項の目的が，特許法第１７条の２第５項の各号に該当するものと認められない。
＜補正事項２９について＞
　前記補正事項４について検討したとおり，前記補正事項の目的が，特許法第１７条の２第５項の各号に該当するものと認められない。
＜補正事項３０について＞
　前記補正事項３０は，「デバイス」の定義において，補正前の請求項１７の「前記デバイスに格納された前記１つ又はそれよりも多くの個数のデジタルコンテンツと前記コンピュータクラウドに格納された前記複数個のデジタルコンテンツとを表示するディスプレイ」を削除しており，
　補正後の請求項１７に，これに対応する「表示する段階」等を設けてもいない。
　「ディスプレイ」又は，これに相当する発明特定事項を削除する補正は，補正前の請求項１７に記載した発明を特定するために必要な事項を限定したものではなく，限定的減縮を目的とするものとは認められない。
　また，前記補正事項１７の目的が，特許法第１７条の２第５項第１号の請求項の削除，第３号の誤記の訂正，第４号の明りょうでない記載の釈明に該当するものとも認められない。
＜補正事項３６について＞
　前記補正事項３６は，「追加のコンテンツストア」について，「他のユーザに関連付けられた」との限定を削除している。
　該補正は，補正前の請求項２３に記載した発明を特定するために必要な事項を限定したものではなく，限定的減縮を目的とするものとは認められない。
　また，前記補正事項２３の目的が，特許法第１７条の２第５項第１号の請求項の削除，第３号の誤記の訂正，第４号の明りょうでない記載の釈明に該当するものとも認められない。
＜補正事項３７について＞
ア．前記補正事項３７は，
（ア）「第１のコンテンツストア」について「ユーザに関連付けられた」との限定を削除し，
（イ）「追加のコンテンツストア」について「他のユーザに関連付けられた」との限定を削除し，
（ウ）「デジタルコンテンツ」を「ユーザがアップロードしたコンテンツ」に限定するものである。
イ．（ア）の補正事項について，前記補正事項５についてのイ．で検討したとおり，前記補正事項の目的が，特許法第１７条の２第５項の各号に該当するものと認められない。
ウ．（イ）の補正事項について，前記補正事項３６について検討したとおり，前記補正事項の目的が，特許法第１７条の２第５項の各号に該当するものと認められない。
エ．（ウ）の補正事項について，前記補正事項２についてのウ．で検討したとおり，限定的減縮に該当する。
＜補正事項３９について＞
　  前記補正事項３９の目的は，特許法第１７条の２第５項第１号の請求項の削除に該当する。
２−３．まとめ
　したがって，前記補正事項１〜２，４〜５，９〜１１，１３，１５，１９〜２０，２３〜２７，２９〜３０，３２〜３３，３５〜３７について検討したように，本件補正の特許請求の範囲についてする補正は，特許法第１７条の２第５項各号に掲げる事項を目的とするものではない。
３．独立特許要件
　以上のように，本件補正は，特許法第１７条の２第５項各号に掲げる事項を目的とするものではないものの，仮に，前記各補正事項が限定的減縮を目的とした補正であったとして，補正後の請求項１〜２４に記載された発明が，特許法第１７条の２第６項において準用する同法第１２６条第７項の規定に適合するか否か，すなわち，補正後の請求項１〜２４に記載されている事項による特定される発明が，特許出願の際独立して特許を受けることができるものであるか否かについて以下に検討する。
３−１．特許法第３６条第６項第２号について
（１）補正後の請求項１に記載の「１つ又はそれよりも多くのプロセッサを有するコンピュータクラウド」について，
　該「コンピュータクラウド」は，「１つのプロセッサ」のみを有する「コンピュータクラウド」を含むものであるが，
　シングルプロセッサのコンピュータクラウドという技術的事項が何を意味するのか特定できない。
　また，本願明細書を参酌しても，段落【００１１】には「コンピュータクラウド（複数の処理ユニットベースのデバイス，ストレージデバイスなどを有する）」と記載され，段落【００１２】には，コンピュータクラウドではなく「デバイスのプロセッサ」が記載されているものの，「プロセッサ」と「コンピュータクラウド」との関係や，「コンピュータクラウド」内の「プロセッサ」の数については特定されていない。
　したがって，補正後の請求項１に係る発明の範囲は，不明確である。
　補正後の請求項２〜２４も同様である。
（２）補正後の請求項１に記載の「アップロード」について，具体的にどのような処理を意味するのか特定できない。
　例えば，アップロード処理に「デバイス」を用いるか否かや，アップロードコンテンツの取得元について特定できない。
　該「アップロード」は，一般的な用語であり，普通の意味では，ユーザが指定した特定のデータをサーバ等に転送する処理である。
　一方，本願明細書を参酌すると，段落【００１２】には「各デバイス上の各プラグイン／アプリケーション／複数のコード行は，自動的にバックグラウンド（受動同期）で又は低価格ネットワークが利用可能な時にデジタルコンテンツのインテリジェンスアップロードをもたらすためにコンピュータデバイス２８にデバイス上でデジタルコンテンツの全てを転送することができる。」と記載されるものの，
　補正後の請求項１では，デバイス上でデジタルコンテンツの「全て」を自動的に転送する特殊な「インテリジェンスアップロード」か否か特定する事項は記載されていない。
　したがって，補正後の請求項１に係る発明の範囲は，不明確である。
　補正後の請求項２〜２４も同様である。
（３）補正後の請求項２に記載の「さらに」として追加的な構成として定義される「選択的に同期する」処理について，
　補正後の請求項２が引用する補正後の請求項１には「アップロード」処理及び「ダウンロード」処理が記載されており，
　同期処理，アップロード処理及びダウンロード処理は，いずれもコンピュータクラウドとデバイスとの間のコンテンツ転送処理であるが，相互の関係が特定されておらず不明確である。
　したがって，補正後の請求項２に係る発明の範囲は，不明確である。
　補正後の請求項３〜４８〜９，１４〜１５，１８〜２０も同様である。
（４）補正後の請求項２に記載の「選択的に同期する」処理について，
　何を基準として「選択」する場合までを含むのか特定されておらず，「選択的に同期する」処理の示す技術的範囲が不明瞭である。
　例えば，通信できる場合のみ同期する場合や，ユーザの嗜好やコンテンツのサイズでコンテンツを選択して同期する場合も含むのか，補正後の請求項２の日本語表現では特定できない。
　したがって，補正後の請求項２に係る発明の範囲は，不明確である。
　補正後の請求項１４，１８も同様である。
（５）補正後の請求項８に記載の「選択的な前記同期は，前記デバイスを前記コンピュータクラウドに接続するネットワークに基づいている」ことについて，
　該同期処理が，ネットワークの何に基づいて，どのような選択的動作を行うのか特定できず不明確である。
　補正後の請求項９も同様である。
（６）小括
　よって，補正後の特許請求の範囲の記載は，特許法第３６条第６項第２号に規定する要件を満たしておらず，補正後の請求項１〜２４に係る発明は，特許出願の際独立して特許を受けることができないものである。
３−２．特許法第２９条第２項について
　上記「３−１．特許法第３６条第６項第２号について」で検討したように，本件補正後の請求項１〜２４に係る発明は明確でないものの，仮に，本件補正後の請求項１〜２４に記載のとおりのものとして，以下の検討を行う。
（１）本件補正発明
　本件補正発明は，上記平成２６年１１月２０日付け手続補正書により補正された特許請求の範囲，明細書及び図面の記載からみて，その特許請求の範囲の請求項１に記載された以下のとおりのもの（以下，「本件補正発明」という。）と認める。
「ユーザのコンテンツを１つ又はそれよりも多くのプロセッサを有するコンピュータクラウドとデバイスとの間で共有するためのシステムであって，
　ユーザに関連付けられた第１のコンテンツストアを有する前記コンピュータクラウドであって，前記第１のコンテンツストアは，１つ又はそれよりも多くの個数のユーザがアップロードしたユーザのコンテンツを格納する，前記コンピュータクラウドを備え，
　前記コンピュータクラウドは，
　　前記コンピュータクラウドに格納された，ユーザがアップロードしたコンテンツの１つをダウンロードする要求を前記デバイスから受け，
　　前記受信した要求に応じて，前記コンテンツストアへのアクセスを前記デバイスに許可するよう構成され，
　　前記デバイスは，
　　１つ又はそれよりも多くの個数のデジタルコンテンツを格納する第２のコンテンツストアと，
　　前記デバイスに格納された前記１つ又はそれよりも多くの個数のデジタルコンテンツと前記コンピュータクラウドに格納された前記ユーザがアップロードした１つ又はそれよりも多くの個数のコンテンツとを表示するディスプレイと，
　　前記ユーザが前記コンピュータクラウドに格納されたユーザがアップロードしたコンテンツの１つを視聴したい時に該ユーザがアップロードしたコンテンツの１つを該コンピュータクラウドから要求し，かつ該デバイス上に該ユーザがアップロードしたコンテンツの１つを格納するアプリケーションと，を有することを特徴とするシステム。」
（２）引用文献
　本願の優先日前に頒布され，原審の拒絶査定の理由である前記平成２５年１２月１９日付けの拒絶理由通知において引用された，特開２００９−４４３７４号公報（平成２１年２月２６日出願公開，以下，「引用文献１」という。）には，関連する図面とともに，以下の技術的事項が記載されている。（当審注：下線は，参考のために当審で付与したものである。）
Ａ．「【００４０】
　図１に示される
ネットワークシステム１００は，複数の装置により構成され，サーバから端末装置に情報を容易に提供することができるシステムである。
Ｂ．「【００４５】
　例えば，
携帯電話機１０１は，WEBサーバ１４１に接続し，WEBサーバ１４１が提供するWEBサイトより，プレイリストや音楽データを取得する
携帯電話機１０１は，例えば，音楽販売サーバ１４２に接続し，音楽販売サーバ１４２が提供する音楽販売サイトにおいて音楽データを購入し，取得することができる。
Ｃ．「【００５１】
　
携帯電話機１０１は，以上のように取得したプレイリストや音楽データを自分自身に属するデータとして記憶する。携帯電話機１０１は，記憶している音楽データを再生し，その楽曲の音声を出力することができる。また，携帯電話機１０１は，記憶しているプレイリストを用いて，そのプレイリストに含まれる楽曲の音楽データを他の装置より取得することができる。
携帯電話機１０１は，QRコード１２２を撮像することにより得られたプレイリストに基づいて，そのプレイリストに含まれる楽曲の音楽データを音楽販売サーバ１４２より取得（購入）することができる。
【００５２】
　以上のように，携帯電話機１０１が記憶するプレイリストは，必ずしも，携帯電話機１０１が記憶する音楽データの楽曲についてのプレイリストでなくてもよい。つまり，携帯電話機１０１に記憶される音楽データとプレイリストは互いに対応していなくてもよい。ただし，後述するように音楽データの共有のために，携帯電話機１０１は，自身が記憶する音楽データの楽曲に関するプレイリストは全て記憶しておくようにするのが望ましい。
【００５３】
　
携帯電話機１０１は，また，プレイリストを用いて，音楽データを他の装置と共有することができる。
【００５４】
　
このようなプレイリストの交換により，携帯電話機１０１は，他の装置が記憶する音楽データをストリーミング再生させ，ストリーミングデータとして取得することができる。
携帯電話機１０１のユーザが，他の装置より取得したプレイリストの中の楽曲を選択すると，携帯電話機１０１は，そのプレイリストが対応する他の装置に対して，選択された楽曲の再生を要求する。再生要求を受けた他の装置は，要求された楽曲の音楽データをストリーミングデータとして携帯電話機１０１に送信する。携帯電話機１０１は，他の装置より供給されたストリーミングデータを逐次的に再生し，その音声を出力する。
Ｄ．「【００７２】
　図２において，
携帯電話機１０１のCPU（Central Processing Unit）２０１は，ソフトウェアプログラムを実行することにより，各種の処理を実行する演算処理部である。
【００７３】
　
CPU２０１，ROM２０２，およびRAM２０３は，バス２０４を介して相互に接続されている。このバス２０４にはまた，入出力インタフェース２１０も接続されている。
【００７４】
　
入出力インタフェース２１０には
ディスプレイ
などよりなる出力部２１２，ハードディスクなどより構成される記憶部２１３が接続されている。
・・・（中略）・・・
【００７６】
　ブルートゥース通信部２１７は・・・（中略）・・・
通信相手より取得したデータを，入出力インタフェース２１０を介してRAM２０３または記憶部２１３等に供給して保持させる
Ｅ．「【０２８１】
　なお，以上においては
コンテンツデータの例として音楽データを用いて販売や共有について説明したが，コンテンツデータはどのようなデータであってもよく，例えば映像データや文書データ等，音楽データで無くもよい。
【０２８２】
　
上述した一連の処理は，ハードウェアにより実行させることもできるが，ソフトウェアにより実行させることもできる。
　ここで，前記引用文献１に記載されている事項を検討する。
（ア）前記Ａの「ネットワークシステム１００は，複数の装置により構成され，サーバから端末装置に情報を容易に提供することができるシステムである。」との記載，前記Ｂの「携帯電話機１０１は，WEBサーバ１４１に接続し，WEBサーバ１４１が提供するWEBサイトより，プレイリストや音楽データを取得する」，「携帯電話機１０１は，例えば，音楽販売サーバ１４２に接続し，音楽販売サーバ１４２が提供する音楽販売サイトにおいて音楽データを購入し，取得することができる。」との記載，前記Ｃの段落【００５１】の「また，携帯電話機１０１は，記憶しているプレイリストを用いて，そのプレイリストに含まれる楽曲の音楽データを他の装置より取得することができる。」，「携帯電話機１０１は，QRコード１２２を撮像することにより得られたプレイリストに基づいて，そのプレイリストに含まれる楽曲の音楽データを音楽販売サーバ１４２より取得（購入）することができる。」との記載，前記Ｃの段落【００５３】の「携帯電話機１０１は，また，プレイリストを用いて，音楽データを他の装置と共有することができる。」との記載，前記Ｅの段落【０２８１】の「コンテンツデータの例として音楽データを用いて販売や共有について説明したが，コンテンツデータはどのようなデータであってもよく，例えば映像データや文書データ等，音楽データで無くもよい。」との記載からすると，
　引用文献１に記載の「ネットワークシステム」は，「携帯電話機」と「他の装置」が，映像データを含む「コンテンツデータ」を共有する点が読みとれる。
　したがって，引用文献１には，
“ユーザが複数のサーバから購入したコンテンツデータを携帯電話機と複数の他の装置との間で共有するためのネットワークシステム”
が記載されていると認められる。
（イ）前記Ｃの段落【００５４】の「このようなプレイリストの交換により，携帯電話機１０１は，他の装置が記憶する音楽データをストリーミング再生させ，ストリーミングデータとして取得することができる。」との記載からすると，プレイリストに，複数の音楽データの情報が含まれることは明らかであるから，
　引用文献１には，
　前記「他の装置」が“複数のコンテンツデータを記憶”することが記載されていると認められる。
（ウ）前記Ｃの段落【００５４】の「携帯電話機１０１のユーザが，他の装置より取得したプレイリストの中の楽曲を選択すると，携帯電話機１０１は，そのプレイリストが対応する他の装置に対して，選択された楽曲の再生を要求する。再生要求を受けた他の装置は，要求された楽曲の音楽データをストリーミングデータとして携帯電話機１０１に送信する。」との記載からすると，
　引用文献１には，
　前記「他の装置」が“ユーザがコンテンツデータを選択したとき，携帯電話機から再生要求を受け，記憶するコンテンツデータを携帯電話機に送信”することが記載されていると認められる。
（エ）前記Ｃの段落【００５１】の「携帯電話機１０１は，以上のように取得したプレイリストや音楽データを自分自身に属するデータとして記憶する。」との記載からすると，
　引用文献１には，
　前記「携帯電話機」が“取得した複数のコンテンツデータを記憶”することが記載されていると認められる。
（オ）前記Ｄの段落【００７２】の「携帯電話機１０１のCPU（Central Processing Unit）２０１は，ソフトウェアプログラムを実行することにより，各種の処理を実行する演算処理部である。」との記載，前記Ｄの段落【００７３】の「CPU２０１，ROM２０２，およびRAM２０３は，バス２０４を介して相互に接続されている。このバス２０４にはまた，入出力インタフェース２１０も接続されている。」との記載，前記Ｄの段落【００７４】の「入出力インタフェース２１０には・・・（中略）・・・ディスプレイ・・・（中略）・・・などよりなる出力部２１２，ハードディスクなどより構成される記憶部２１３が接続されている。」との記載からすると，
　前記「携帯電話機」は，出力部としてディスプレイを有することが読みとれる。
　前記Ｅの段落【０２８１】の「コンテンツデータの例として音楽データを用いて販売や共有について説明したが，コンテンツデータはどのようなデータであってもよく，例えば映像データや文書データ等，音楽データで無くもよい。」との記載からすると，
　映像データを含む「コンテンツデータ」は，ディスプレイに出力されることは技術常識であるから，
　前記「携帯電話機」は，コンテンツデータを出力するディスプレイを有することが読みとれる。
　前記Ｃの段落【００５１】の「携帯電話機１０１は，記憶している音楽データを再生し，その楽曲の音声を出力することができる。また，携帯電話機１０１は，記憶しているプレイリストを用いて，そのプレイリストに含まれる楽曲の音楽データを他の装置より取得することができる。」との記載，前記Ｃの段落【００５４】の「携帯電話機１０１は，そのプレイリストが対応する他の装置に対して，選択された楽曲の再生を要求する。」，「携帯電話機１０１は，他の装置より供給されたストリーミングデータを逐次的に再生し，その音声を出力する。」との記載からすると，
　前記「携帯電話機」は，自身が記憶しているコンテンツデータ又は他の装置が記憶しているコンテンツデータを出力することが読みとれる。
　したがって，引用文献１には，
　前記「携帯電話機」が“自身が記憶しているコンテンツデータ又は他の装置が記憶しているコンテンツデータを出力するディスプレイを有”することが記載されていると認められる。
（カ）前記Ｃの段落【００５４】の「携帯電話機１０１のユーザが，他の装置より取得したプレイリストの中の楽曲を選択すると，携帯電話機１０１は，そのプレイリストが対応する他の装置に対して，選択された楽曲の再生を要求する。」，「携帯電話機１０１は，他の装置より供給されたストリーミングデータを逐次的に再生し，その音声を出力する。」との記載からすると，
　前記「携帯電話機」は，ユーザがコンテンツデータを選択したとき，他の装置に対して，コンテンツデータの再生を要求してコンテンツデータを取得することが読みとれる。
　前記Ｃの段落【００５１】の「携帯電話機１０１は，以上のように取得したプレイリストや音楽データを自分自身に属するデータとして記憶する。」との記載，前記Ｄの段落【００７６】の「通信相手より取得したデータを，入出力インタフェース２１０を介してRAM２０３または記憶部２１３等に供給して保持させる」との記載からすると，
　前記「携帯電話機」は，取得したコンテンツデータを記憶することが読みとれる。
　前記Ｄの段落【００７２】の「携帯電話機１０１のCPU（Central Processing Unit）２０１は，ソフトウェアプログラムを実行することにより，各種の処理を実行する演算処理部である。」との記載，前記Ｅの段落【０２８２】の「上述した一連の処理は，ハードウェアにより実行させることもできるが，ソフトウェアにより実行させることもできる」との記載からすると，
　前記「携帯電話機」は，上記の処理を実行するソフトウェアを有することが読みとれる。
　したがって，引用文献１には，
　前記「携帯電話機」が“ユーザがコンテンツデータを選択したとき，他の装置に対して，コンテンツデータの再生を要求してコンテンツデータを取得して記憶するソフトウェアを有”することが記載されていると認められる。
（キ）以上，（ア）〜（カ）から，引用文献１には，次の発明（以下，「引用発明」という。）が記載されているものと認める。
「ユーザが複数のサーバから購入したコンテンツデータを携帯電話機と複数の他の装置との間で共有するためのネットワークシステムであって，
　前記他の装置は，
　　複数のコンテンツデータを記憶し，
　　ユーザがコンテンツデータを選択したとき，携帯電話機から再生要求を受け，
　　記憶するコンテンツデータを携帯電話機に送信し，
　前記携帯電話機は，
　　取得した複数のコンテンツデータを記憶し，
　　自身が記憶しているコンテンツデータ又は他の装置が記憶しているコンテンツデータを出力するディスプレイを有し，
　　ユーザがコンテンツデータを選択したとき，他の装置に対して，コンテンツデータの再生を要求してコンテンツデータを取得して記憶するソフトウェアを有する
　ネットワークシステム。」
（３）参考文献
ア．参考文献１に記載されている技術的事項
　本願の優先日前に頒布され，平成２６年７月１８日付け拒絶査定において引用された，特開２００１−２９７２６３号公報（平成１３年１０月２６日出願公開，以下，「参考文献１」という。）には，関連する図面とともに，以下の技術的事項が記載されている。（当審注：下線は，参考のために当審で付与したものである。）
Ｆ．「【００６１】・・・（中略）・・・なお，例えば実際においては，
ユーザはコンテンツデータの権利のみを購入しておき，コンテンツデータ自体は，ダウンロードせずにサーバ１側にて割り当ててある自分の楽曲倉庫に対して保管するものとしておくようにすることも可能である
Ｇ．「【００７６】倉庫容量情報は，現在ユーザが使用しているとされる楽曲倉庫としてのデータ容量を示す情報である。
ユーザは，楽曲としてのコンテンツデータを預け入れるのにあたって，配信センタ側に自分の倉庫としての記憶容量の割り当てを行ってもらうようにされる。具体的には，例えばサーバ１における記憶部１０１の一部領域の容量が倉庫として割与えられる。
Ｈ．「【０１０６】４．コンテンツ戻し処理
続いては，楽曲倉庫に預け入れてあるとされるコンテンツデータを，携帯端末装置３側に戻す場合の処理について，図８の処理遷移図を参照して説明する。この場合にも，例えば
ユーザの操作に応じて，ユーザ側からは，
楽曲倉庫に預け入れてあるコンテンツデータの戻しについてのリクエストを送信する。配信センタ側においては，
これを受信すると，
ユーザ確認要求の送信を行う。
適正なユーザ認証結果が得られたとすれば，
【０１０７】
配信センタ側では，
上記したコンテンツＩＤを受信すると，このコンテンツＩＤを基に，そのユーザのユーザＩＤにより管理されるデータベース内容を参照して，
この戻しのためのリクエストのあったコンテンツデータは，現在ユーザがその権利を取得しているものであり，また，現在，楽曲倉庫に対して保管されているものとして扱われているか，などについての確認を行う
【０１０８】そして，例えばステップＳ３１２の処理結果として，
リクエストされたコンテンツデータについて預け入れの許可が与えてよいとの確認が得られると
記憶部１０２のコンテンツデータ格納領域１１０の中から，このリクエストのあったコンテンツデータについての検索を行う。
検索したコンテンツデータと，このコンテンツデータのコピー転送によって変更された内容のＴＯＣを送信するようにされる。
【０１０９】
ユーザ側においては
送信されてきたコンテンツデータとＴＯＣとの受信を開始して
これらデータの受信及び記憶部への記憶のための処理を実行する。
Ｉ．「【０１４３】また，このＴＯＣの構造例を図１４に示す。この場合の
ＴＯＣもまたユーザＩＤにより特定されるユーザごとに特定となる値とされる
ユーザＩＤの配下に
サーバ１に記憶されるアクセス可能なコンテンツのコンテンツＩＤと，仮想アドレスとが対応付けられ
携帯端末装置３に記憶されるコンテンツのコンテンツＩＤと仮想アドレスとが対応付けられ
【０１４４】
このような構造のＴＯＣを，サーバ１，配信端末装置２，携帯端末装置３が共有するようにしても，例えば図１２に示したようにしてコンテンツデータのダウンロード時において，各装置が，他の装置に記憶されるコンテンツにアクセスすることが可能とされる。例えば携帯端末装置３が，配信端末装置２若しくはサーバ１においてコンテンツを記憶している記憶部に対してアクセスすることが可能とされるものである。
Ｊ．「【０１４８】・・・（中略）・・・また，データ配信システムにより配信される
コンテンツとしてのデータ
映像データ
イ．参考文献２に記載されている技術的事項
　本願の優先日前に頒布された特開２００７−３１７１７８号公報（平成１９年１２月６日出願公開，以下，「参考文献２」という。）には，関連する図面とともに，以下の技術的事項が記載されている。（当審注：下線は，参考のために当審で付与したものである。）
Ｋ．「【００１０】
　以下，この発明の一実施形態について説明する。図１は，一実施形態のシステム構成を概略的に示す。参照符号１および２が
コンテンツを蓄積するためのサービス事業者（以下，コンテンツプロバイダと適宜称する）のサーバを示す。図１の例では，２つのサーバが設けられているが，１つのサーバを設ける構成，または３以上のサーバが存在する構成が可能である。
【００１１】
　ネットワーク３を介してサーバ１および２がユーザ端末４，５，６と接続されている。通常，図示しないが，より多数のユーザ端末が存在している。ユーザ端末は，具体的に，パーソナルコンピュータ，携帯電話，ＰＤＡ(Personal Digital Assistants)等である。
ユーザ端末４，５，６は，サーバ１または２との間で，ネットワーク３を介してコンテンツファイルのアップロードまたはダウンロードを行う。
・・・（中略）・・・
【００１３】
　ラベル付けの方法として，ユーザの識別情報（ユーザＩＤと称する）が利用される。予めユーザ登録を行う際に，ユーザＩＤが登録される。次に，
ユーザが自分でコンテンツファイルをサーバ１または２にアップロードする場合に，
アップロードされたコンテンツファイルをユーザＩＤと関連付けてサーバ上に蓄積する。
サーバの管理用のデータベースには，ユーザとコンテンツとの関連の情報が記録される。
【００１４】
　
所望のコンテンツファイルをダウンロードするために，ユーザがサーバ１または２にアクセスする場合には，ユーザＩＤおよびパスワードの入力がなされ，サーバ側によってアクセスした者が正規の者であることが認証される。
Ｌ．「【００１８】
　この一実施形態では，
サーバに蓄積している自分のコンテンツファイルを自由に記録（ダウンロード）または再生（ストリーミング）が可能である。
ウ．参考文献３に記載されている技術的事項
　本願の優先日前に頒布された特表２００５−５１５５２６号公報（平成１７年５月２６日公表，以下，「参考文献３」という。）には，関連する図面とともに，以下の技術的事項が記載されている。（当審注：下線は，参考のために当審で付与したものである。）
Ｍ．「【００１０】
・・・（中略）・・・
分散化データベース管理システムは，クライアントが，容易に，そのローカル・データベースにデータを維持し，そして，そのローカル・データベースを，メインサーバ・データベースに同期させることを可能にする。
Ｎ．「【００４２】
データベースの一貫性および正確性の維持のための方法
・・・（中略）・・・システムへの伝送が，最終的に可能であるときには，中央データベースおよびクライアント・データベースを持ってくるために必要とされるオブジェクトの全てを，完全に同期して伝送することが可能でなくても，
オブジェクトの複製は，常に，サーバデータベースの一貫性を持つサブセットに帰着しなければならない。
Ｐ．「【００９７】
  
オーセンティケーション過程が成功したと仮定すると，
新しいスライスが，クライアントに配信され，そして，収集されるべき視聴データが，送り返される。
・・・（中略）・・・
【００９９】
　３．
アップロードされた情報は，サーバによって同様に扱われる。それは，中央データベース内に複製されるべきテレビジョン視聴オブジェクトを表わすと仮定される。
アップロードされたオブジェクトは，それらのソースに関する情報を含むナビゲート可能な属性を割り当てられる。
（４）対比
　本件補正発明と引用発明とを対比する。
ア．引用発明の「ユーザが複数のサーバから購入したコンテンツデータを携帯電話機と複数の他の装置との間で共有するためのネットワークシステム」と本件補正発明の「ユーザのコンテンツを１つ又はそれよりも多くのプロセッサを有するコンピュータクラウドとデバイスとの間で共有するためのシステム」を対比する。
　引用発明の「複数の他の装置」及び「携帯電話機」は，前記携帯電話機が前記他の装置からコンテンツを取得して再生することで共有するものであるから，それぞれ「コンピュータクラウド」及び「デバイス」に対応するところ，
　引用発明の「他の装置」は，「コンピュータ」の一態様であり，
　「コンピュータ」が「プロセッサ」を有することは，技術常識である。
　引用発明の「携帯電話機」は，「デバイス」の一態様であり，
　引用発明の「コンテンツデータ」は，本件補正発明の「コンテンツ」に相当する。
　そうすると，両者は，
“ユーザのコンテンツを１つ又はそれよりも多くのコンピュータを有するコンピュータクラウドとデバイスとの間で共有するためのシステム”である点で一致していると言える。
イ．引用発明の「複数のコンテンツデータを記憶」する「他の装置」と，本件補正発明の「ユーザに関連付けられた第１のコンテンツストアを有する前記コンピュータクラウドであって，前記第１のコンテンツストアは，１つ又はそれよりも多くの個数のユーザがアップロードしたユーザのコンテンツを格納する，前記コンピュータクラウド」を対比する。
　引用発明の「他の装置」が記憶する「複数のコンテンツデータ」は，本件補正発明の「コンピュータクラウド」が格納する「コンテンツ」に相当する。
　また，コンテンツデータを記憶する機能を有する「他の装置」が，コンテンツの格納手段，すなわち，補正後の請求項１における「コンテンツストア」を有することは明らかである。
　そうすると，両者は，後記する点で相違するものの，
“第１のコンテンツストアを有する前記コンピュータクラウドであって，前記第１のコンテンツストアは，１つ又はそれよりも多くの個数のコンテンツを格納する，前記コンピュータクラウド”である点で共通していると言える。
ウ．引用発明の「他の装置」が「ユーザがコンテンツデータを選択したとき，携帯電話機から再生要求を受け」，「記憶するコンテンツデータを携帯電話機に送信」することと，
　本件補正発明の「コンピュータクラウド」が「前記コンピュータクラウドに格納された，ユーザがアップロードしたコンテンツの１つをダウンロードする要求を前記デバイスから受け」，
　「前記受信した要求に応じて，前記コンテンツストアへのアクセスを前記デバイスに許可する」ことを対比する。
　引用発明の「再生要求」が，本件補正発明の「ダウンロードする要求」に相当し，
　コンテンツを送信することは，コンテンツへのアクセスさせることといえるから，
　
　そうすると，両者は，後記する点で相違するものの，
“前記コンピュータクラウドに格納された，コンテンツの１つをダウンロードする要求を前記デバイスから受け，
　前記受信した要求に応じて，前記コンテンツへの前記デバイスにアクセスさせる”点で共通していると言える。
エ．引用発明の「取得した複数のコンテンツデータ」を記憶する「携帯電話機」は，
　ユーザがコンテンツデータを取得して記憶する「携帯電話機」は，ユーザに関連付けられているといえ，
　また，コンテンツデータを記憶する機能を有する「携帯電話機」が，コンテンツの格納手段，すなわち，補正後の請求項１における「コンテンツストア」を有することは明らかであるから，
　本件補正発明の「１つ又はそれよりも多くの個数のデジタルコンテンツを格納する第２のコンテンツストア」を有する「デバイス」に相当する。
オ．引用発明の「携帯電話機」の「自身が記憶しているコンテンツデータ又は他の装置が記憶しているコンテンツデータを出力するディスプレイ」と，
　本件補正発明の「デバイス」の「前記デバイスに格納された前記１つ又はそれよりも多くの個数のデジタルコンテンツと前記コンピュータクラウドに格納された前記ユーザがアップロードした１つ又はそれよりも多くの個数のコンテンツとを表示するディスプレイ」を対比する。
　引用発明の「自身が記憶しているコンテンツデータ」は，本件補正発明の「前記デバイスに格納された前記１つ又はそれよりも多くの個数のデジタルコンテンツ」に相当する。
　引用発明の「他の装置が記憶しているコンテンツデータ」は，本件補正発明の「前記コンピュータクラウドに格納された」「１つ又はそれよりも多くの個数のコンテンツ」に対応する。
　そうすると，両者は，後記する点で相違するものの，
“前記デバイスに格納された前記１つ又はそれよりも多くの個数のデジタルコンテンツと前記コンピュータクラウドに格納された１つ又はそれよりも多くの個数のコンテンツとを表示するディスプレイ”である点で共通していると言える。
カ．引用発明の「携帯電話機」の「ユーザがコンテンツデータを選択したとき，他の装置に対して，コンテンツデータの再生を要求してコンテンツデータを取得して記憶するソフトウェア」と，
　本件補正発明の「デバイス」の「前記ユーザが前記コンピュータクラウドに格納されたユーザがアップロードしたコンテンツの１つを視聴したい時に該ユーザがアップロードしたコンテンツの１つを該コンピュータクラウドから要求し，かつ該デバイス上に該ユーザがアップロードしたコンテンツの１つを格納するアプリケーション」を対比する。
　引用発明の「ソフトウェア」が，コンテンツを取得して記憶する，すなわち，メモリに格納するプログラムであるから，本件補正発明の「アプリケーション」に対応するところ，
　引用発明の「コンテンツデータ」の「再生を要求」して「記憶」することが，本件補正発明の「コンテンツ」を「要求」して「格納」することに相当し，
　ユーザがコンテンツデータを再生するために選択する動作は，ユーザがコンテンツデータを視聴したい場合に行われる動作であるといえるから
　両者は，後記する点で相違するものの，
　“前記ユーザが前記コンピュータクラウドに格納された１つのデジタルコンテンツを視聴したい時に該１つのデジタルコンテンツを該コンピュータクラウドから要求し，かつ該デバイス上に該１つのデジタルコンテンツを格納するアプリケーション”である点で共通していると言える。
キ．以上，ア．〜カ．から，本件補正発明と引用発明とは，以下の点で一致し，また，以下の点で相違する。
（一致点）
「ユーザのコンテンツを１つ又はそれよりも多くのプロセッサを有するコンピュータクラウドとデバイスとの間で共有するためのシステムであって，
　第１のコンテンツストアを有する前記コンピュータクラウドであって，前記第１のコンテンツストアは，１つ又はそれよりも多くの個数のコンテンツを格納する，前記コンピュータクラウドを備え，
　前記コンピュータクラウドは，
　　前記コンピュータクラウドに格納された，コンテンツの１つをダウンロードする要求を前記デバイスから受け，
　前記受信した要求に応じて，前記コンテンツへの前記デバイスにアクセスさせるよう構成され，
　　前記デバイスは，
　　１つ又はそれよりも多くの個数のデジタルコンテンツを格納する第２のコンテンツストアと，
　　前記デバイスに格納された前記１つ又はそれよりも多くの個数のデジタルコンテンツと前記コンピュータクラウドに格納された１つ又はそれよりも多くの個数のコンテンツとを表示するディスプレイと，
　　前記ユーザが前記コンピュータクラウドに格納された１つのデジタルコンテンツを視聴したい時に該１つのデジタルコンテンツを該コンピュータクラウドから要求し，かつ該デバイス上に該１つのデジタルコンテンツを格納するアプリケーションと，を有することを特徴とするシステム。」
（相違点１）
　コンピュータクラウドに関し，
　本件補正発明では，「第１のコンテンツストア」が，「ユーザに関連付けられ」ているのに対して，
　引用発明では，そのような点は特定されていない点。
（相違点２）
　第１のコンテンツストアのコンテンツに関し，
　本件補正発明では，「ユーザがアップロードした」コンテンツであるのに対し，
　引用発明では，そのような点は特定されていない点。
（相違点３）
　デバイスからの要求に対して，
　本件補正発明では，「コンテンツストアへのアクセスを前記デバイスに許可する」のに対し，
　引用発明では，コンテンツを送信するものの，（コンテンツの集合ではなく格納手段である）コンテンツストアへのアクセスを許可する点は特定されていない点。
（５）当審の判断
　前記相違点１〜相違点３について検討する。
ア．前記相違点１〜相違点３について
　引用発明では，「他の装置」が「複数のコンテンツデータを記憶」するところ，
　コンピュータ装置が，端末装置から送信（アップロード）されたコンテンツやその格納領域を，送信元ユーザに関連付けて格納し，認証やアクセス制御を行う機能を備えることは，例えば参考文献１（上記Ｆ〜Ｊを参照），参考文献２（上記Ｋ，Ｌを参照），参考文献３（上記Ｍ，Ｎ，Ｐを参照）に記載されるように，本願の優先日前には情報処理の技術分野において適宜に採用されていた周知技術であった。
　そうすると，引用発明においても，複数のコンテンツデータを記憶する「他の装置」に，コンテンツやその格納領域をユーザに関連付けて管理する機能を付加すること，すなわち，相違点１〜相違点３に係る構成とすることは，当業者が容易に想到し得たことである。
イ．小括
　前記で検討したごとく，相違点１〜相違点３に係る構成は当業者が容易に想到し得たものであり，そして，これらの相違点を総合的に勘案しても，本件補正発明の奏する作用効果は，前記引用発明及び当該技術分野の周知技術の奏する作用効果から予測される範囲内のものにすぎず，格別顕著なものということはできない。
　そうすると，本件補正発明は，引用発明及び当該技術分野の周知技術に基づいて，当業者が容易に発明をすることができたものであるから，特許法第２９条第２項の規定により特許出願の際独立して特許を受けることができないものである。
４．むすび
　以上のように，本件補正は，上記「２．目的要件」で指摘したとおり，本件補正は，特許法第１７条の２第５項の規定に違反するので，同法第１５９条第１項において読み替えて準用する同法第５３条第１項の規定により却下すべきものである。
　また，仮に本件補正が，限定的減縮を目的とするものであったとしても，前記「３．独立特許要件」で指摘したとおり，特許出願の際独立して特許を受けることができるものではないから，特許法第１７条の２第６項において準用する同法第１２６条第７項の規定に違反するので，同法第１５９条第１項において読み替えて準用する同法第５３条第１項の規定により却下すべきものである。
　よって，前記補正却下の決定の結論のとおり決定する。
第３　本願発明について
１．本願発明
　平成２６年１１月２０日付けの手続補正は前記のとおり却下されたので，補正後の請求項１に対応する補正前の請求項に係る発明（以下，「本願発明」という。）は，平成２６年３月２６日付けの手続補正により補正された特許請求の範囲の請求項１に記載された事項により特定される，以下のとおりのものである。
「ユーザのコンテンツを１つ又はそれよりも多くのコンピュータと１つ又はそれよりも多くのストレージユニットとを有するコンピュータクラウドとデバイスとの間で共有するためのシステムであって，
　ユーザに関連付けられた第１のコンテンツストアを有する前記コンピュータクラウドであって，前記第１のコンテンツストアは，前記ユーザのために前記コンピュータクラウドに格納された複数個のデジタルコンテンツを含む第１のコンテンツの集合である，前記コンピュータクラウドを備え，
　前記コンピュータクラウドは，
　　前記ユーザがデジタルコンテンツの１つを視聴したいとき，前記コンピュータクラウドに格納された当該デジタルコンテンツの１つのための要求を前記デバイスから受け，
　　前記デジタルコンテンツの１つへのアクセスを前記デバイスに提供するよう構成され，
　　前記デバイスは，
　　前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストアと，
　　前記デバイスに格納された前記１つ又はそれよりも多くの個数のデジタルコンテンツと前記コンピュータクラウドに格納された前記複数個のデジタルコンテンツとを表示するディスプレイと，
　　前記ユーザが前記コンピュータクラウドに格納された１つのデジタルコンテンツを視聴したい時に該１つのデジタルコンテンツを該コンピュータクラウドから要求し，かつ該デバイス上に該１つのデジタルコンテンツを格納するアプリケーションと，を有することを特徴とするシステム。」
２．引用文献及び参考文献
　引用文献１に記載されている引用発明，及び，参考文献に記載されている技術的事項は，前記「第２　平成２６年１１月２０日付けの手続補正についての補正却下の決定」の「３−３．特許法第２９条第２項について」の「（２）引用文献」及び「（３）参考文献」に記載したとおりである。
３．対比
　本願発明と引用発明とを対比する。
（１）引用発明の「ユーザが複数のサーバから購入したコンテンツデータを携帯電話機と複数の他の装置との間で共有するためのネットワークシステム」と本願発明の「ユーザのコンテンツを１つ又はそれよりも多くのコンピュータと１つ又はそれよりも多くのストレージユニットとを有するコンピュータクラウドとデバイスとの間で共有するためのシステム」を対比する。
　引用発明の「複数の他の装置」及び「携帯電話機」は，前記携帯電話機が前記他の装置からコンテンツを取得して再生することで共有するものであるから，それぞれ「コンピュータクラウド」及び「デバイス」に対応するところ，
　引用発明の「他の装置」は，「コンピュータ」の一態様であり，
　引用発明の「携帯電話機」は，「デバイス」の一態様であり，
　引用発明の「コンテンツデータ」は，本願発明の「コンテンツ」に相当する。
　そうすると，両者は，後記する点で相違するものの，
“ユーザのコンテンツを１つ又はそれよりも多くのコンピュータを有するコンピュータクラウドとデバイスとの間で共有するためのシステム”である点で共通していると言える。
（２）引用発明の「複数のコンテンツデータを記憶」する「他の装置」と，本願発明の「ユーザに関連付けられた第１のコンテンツストアを有する前記コンピュータクラウドであって，前記第１のコンテンツストアは，前記ユーザのために前記コンピュータクラウドに格納された複数個のデジタルコンテンツを含む第１のコンテンツの集合である，前記コンピュータクラウド」を対比する。
　引用発明の「他の装置」が記憶する「複数のコンテンツデータ」は，該「複数のコンテンツデータ」がコンテンツの集合といえるから，本願発明の「第１のコンテンツの集合」である「第１のコンテンツストア」に相当する。
　そうすると，両者は，後記する点で相違するものの，
“第１のコンテンツストアを有する前記コンピュータクラウドであって，前記第１のコンテンツストアは，前記コンピュータクラウドに格納された複数個のデジタルコンテンツを含む第１のコンテンツの集合である，前記コンピュータクラウド”である点で共通していると言える。
（３）引用発明の「他の装置」が「ユーザがコンテンツデータを選択したとき，携帯電話機から再生要求を受け」，「記憶するコンテンツデータを携帯電話機に送信」することは，
　引用発明の「再生要求」が，本願発明の「要求」に相当し，
　ユーザがコンテンツデータを再生するために選択する動作は，ユーザがコンテンツデータを視聴したい場合に行われる動作であるといえ，
　コンテンツを送信することは，コンテンツへのアクセスを提供する方式の一態様といえるから，
　本願発明の「コンピュータクラウド」が「前記ユーザがデジタルコンテンツの１つを視聴したいとき，前記コンピュータクラウドに格納された当該デジタルコンテンツの１つのための要求を前記デバイスから受け」，「前記デジタルコンテンツの１つへのアクセスを前記デバイスに提供」することに相当する。
（４）引用発明の「携帯電話機」が記憶する「取得した複数のコンテンツデータ」は，
　該「複数のコンテンツデータ」が，コンテンツの集合といえ，
　ユーザが取得して「携帯電話機」に記憶されたコンテンツの集合は，ユーザに関連付けらているといえるから，
　本願発明の「デバイス」の「前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストア」に相当する。
（５）引用発明の「携帯電話機」の「自身が記憶しているコンテンツデータ又は他の装置が記憶しているコンテンツデータを出力するディスプレイ」は，
　本願発明の「デバイス」の「前記デバイスに格納された前記１つ又はそれよりも多くの個数のデジタルコンテンツと前記コンピュータクラウドに格納された前記複数個のデジタルコンテンツとを表示するディスプレイ」に相当する。
（６）引用発明の「携帯電話機」の「ユーザがコンテンツデータを選択したとき，他の装置に対して，コンテンツデータの再生を要求してコンテンツデータを取得して記憶するソフトウェア」は，
　引用発明の「ソフトウェア」が，コンテンツを取得して記憶する，すなわち，メモリに格納するプログラムであるから，本願発明の「アプリケーション」に対応するところ，
　引用発明の「再生を要求」することが，本願発明の「要求」することに相当し，
　ユーザがコンテンツデータを再生するために選択する動作は，ユーザがコンテンツデータを視聴したい場合に行われる動作であるといえるから
　本願発明の「デバイス」の「前記ユーザが前記コンピュータクラウドに格納された１つのデジタルコンテンツを視聴したい時に該１つのデジタルコンテンツを該コンピュータクラウドから要求し，かつ該デバイス上に該１つのデジタルコンテンツを格納するアプリケーション」に相当する。
（７）以上，（１）〜（６）から，本願発明と引用発明とは，以下の点で一致し，また，以下の点で相違する。
（一致点）
「ユーザのコンテンツを１つ又はそれよりも多くのコンピュータを有するコンピュータクラウドとデバイスとの間で共有するためのシステムであって，
　第１のコンテンツストアを有する前記コンピュータクラウドであって，前記第１のコンテンツストアは，前記コンピュータクラウドに格納された複数個のデジタルコンテンツを含む第１のコンテンツの集合である，前記コンピュータクラウドを備え，
　前記コンピュータクラウドが，
　　前記ユーザがデジタルコンテンツの１つを視聴したいとき，前記コンピュータクラウドに格納された当該デジタルコンテンツの１つのための要求を前記デバイスから受け，
　　前記デジタルコンテンツの１つへのアクセスを前記デバイスに提供するよう構成され，
　　前記デバイスは，
　前記ユーザに関連付けられた第２のコンテンツストアであって，前記ユーザのために前記デバイスに格納された１つ又はそれよりも多くの個数のデジタルコンテンツを含む第２のコンテンツの集合である第２のコンテンツストアと，
　　前記デバイスに格納された前記１つ又はそれよりも多くの個数のデジタルコンテンツと前記コンピュータクラウドに格納された前記複数個のデジタルコンテンツとを表示するディスプレイと，
　　前記ユーザが前記コンピュータクラウドに格納された１つのデジタルコンテンツを視聴したい時に該１つのデジタルコンテンツを該コンピュータクラウドから要求し，かつ該デバイス上に該１つのデジタルコンテンツを格納するアプリケーションを有することを特徴とするシステム。」
（相違点ａ）
　本願発明では，「コンピュータクラウド」が，「コンピュータ」に加えて「ストレージユニット」を有するのに対して，
　引用発明では，「コンピュータ」と異なる「ストレージユニット」について特定されていない点。
（相違点ｂ）
　コンピュータクラウドに関し，
　本願発明では，「コンピュータクラウドに格納された複数個のデジタルコンテンツ」が「ユーザのために」格納され，
　「第１のコンテンツの集合」である「第１のコンテンツストア」が，「ユーザに関連付けられ」ているのに対して，
　引用発明では，そのような点は特定されていない点。
４．当審の判断
　前記相違点ａ〜相違点ｂについて検討する。
（１）相違点ａについて
　引用発明は，「他の装置」が「複数のコンテンツデータを記憶」するところ，
　コンピュータ装置が，記録媒体として外付けのストレージ装置を採用することは，引用文献等を示すまでもなく，従来から当業者が必要に応じて普通に採用する常とう手段であり，
　引用発明においても，複数のコンテンツデータを記憶する「他の装置」に「ストレージユニット」を接続すること，すなわち，上記相違点１に係る構成とすることは，当業者が容易に想到し得たことである。
（２）相違点ｂについて
　引用発明は，「他の装置」が「複数のコンテンツデータを記憶」するところ，
　コンピュータ装置が，端末装置から送信（アップロード）されたコンテンツやその格納領域を，送信元ユーザに関連付けて格納し，認証やアクセス制御を行う機能を備えることは，例えば参考文献１（上記Ｆ〜Ｊ）を参照，参考文献２（上記Ｋ，Ｌを参照），参考文献３（上記Ｍ，Ｎ，Ｐを参照）に記載されるように，本願の優先日前には情報処理の技術分野において適宜に採用されていた周知技術であった。
　そうすると，引用発明においても，複数のコンテンツデータを記憶する「他の装置」に，コンテンツやその格納領域をユーザに関連付けて管理する機能を付加すること，すなわち，相違点２に係る構成とすることは，当業者が普通に想到し得たことである。
（３）小括
　前記で検討したごとく，相違点ａ〜相違点ｂに係る構成は当業者が容易に想到し得たものであり，そして，これらの相違点を総合的に勘案しても，本願発明の奏する作用効果は，前記引用発明及び当該技術分野の周知技術の奏する作用効果から予測される範囲内のものにすぎず，格別顕著なものということはできない。
　そうすると，本願発明は，引用発明及び当該技術分野の周知技術に基づいて，当業者が容易に発明をすることができたものである。
５．むすび
　以上のとおり，本願の請求項１に係る発明は，特許法第２９条第２項の規定により特許を受けることができないものであるから，その余の請求項に係る発明について検討するまでもなく，本願は拒絶すべきものである。
　よって，結論のとおり審決する。